(57)【要約】      （修正有）【課題】ワイヤレス通信デバイスに配信されるコンテンツを取得するための方法および装置を提供する。【解決手段】第１のサービスプロバイダサーバ１３０によって配信された第１のコンテンツアイテムをワイヤレス通信デバイス（ＷＣＤ）１１０によって受信することと、第１のコンテンツアイテムに少なくとも１つのＷＣＤ動作識別アイテムを結合するブックマークを取得することと、ブックマークに結合されたコンテンツアイテム要求をＷＣＤから第２のサービスプロバイダサーバ１４０に送信することと、送信されたコンテンツアイテム要求とブックマークとを介して第１のコンテンツアイテムに関連付けられた第２のコンテンツアイテムを第２のサービスプロバイダサーバ１４０から受信することとを備える。【選択図】図１
2014017827.tif 000002
【特許請求の範囲】
【請求項１】
ワイヤレス通信デバイスに配信されるコンテンツを取得するための方法であって、前記方法は、
第１のサービスプロバイダによって配信された第１のコンテンツアイテムをワイヤレス通信デバイス（ＷＣＤ）によって受信することと、
前記第１のコンテンツアイテムに少なくとも１つのＷＣＤ動作識別アイテムを結合するブックマークを取得することと、
前記ブックマークに結合されたコンテンツアイテム要求を前記ＷＣＤから第２のサービスプロバイダに送信することと、
前記送信されたコンテンツアイテム要求と前記ブックマークとを介して前記第１のコンテンツアイテムに関連付けられた第２のコンテンツアイテムを前記第２のサービスプロバイダから受信することと
を備える、方法。
【請求項２】
ユーザ選択によって、または前記第１のコンテンツアイテムに関連付けられた少なくともデータを受信することに応答して自動的に、前記ＷＣＤ上でコンテンツ受信アプリケーションを開始すること
をさらに備える、請求項１に記載の方法。
【請求項３】
前記第２のコンテンツアイテムを前記ＷＣＤに記憶することと、
リアルタイムでストリーミングされたデータとしての前記第２のコンテンツアイテムにアクセスすること、または前記ＷＣＤのストレージからの前記第２のコンテンツアイテムにアクセスすることのいずれかによって、前記第２のコンテンツアイテムにアクセスすることと
をさらに備える、請求項１に記載の方法。
【請求項４】
前記コンテンツアイテムが、ブロードキャストすること、またはマルチキャストすること、またはユニキャストすることのうちの少なくとも１つによって配信される、請求項１に記載の方法。
【請求項５】
前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、またはＸＭ無線フォーマットのうちの少なくとも１つを含むフォーマットを介して配信される、請求項１に記載の方法。
【請求項６】
前記第１のコンテンツアイテムを取得したいという要求を受信すること
をさらに備え、
前記要求を前記受信することが、前記ＷＣＤへのユーザ選択を介して前記要求を受信すること、または前記ＷＣＤに通信可能に結合された第２のコンピューティングデバイスから前記要求を受信することのいずれかをさらに備え、前記第２のコンピューティングデバイスが、前記第１のコンテンツアイテムにアクセスでき、前記第１のコンテンツアイテムを要求するユーザ選択を受信する、請求項１に記載の方法。
【請求項７】
ブックマークを前記取得することが、
前記ＷＣＤによってブックマークを生成すること、または
第２のコンピューティングデバイスによって生成されたブックマークを受信すること
のうちの少なくとも１つをさらに備える、請求項１に記載の方法。
【請求項８】
前記コンテンツアイテムに結合された情報を含むコンテンツガイドを受信することと、
前記第１のコンテンツアイテムを取得したいという要求を受信することと
をさらに備え、
要求を前記受信することが、前記コンテンツガイドからの選択を介して前記コンテンツアイテムの選択を受信することをさらに備える、請求項１に記載の方法。
【請求項９】
前記コンテンツガイドに結合されたブックマークを生成すること
をさらに備える、請求項８に記載の方法。
【請求項１０】
前記第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、請求項１に記載の方法。
【請求項１１】
前記第１のサービスプロバイダからアクセス可能な少なくとも１つの追加のコンテンツアイテムを選択することと、
前記選択を前記第１のサービスプロバイダに送信することと、
前記送信された選択に関連付けられた少なくとも第３のコンテンツアイテムを前記第１のサービスプロバイダから受信することと
をさらに備える、請求項１０に記載の方法。
【請求項１２】
前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、請求項１０に記載の方法。
【請求項１３】
前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、請求項１に記載の方法。
【請求項１４】
前記デバイス動作識別アイテムは、前記第１のコンテンツアイテムのオーディオクリップキャプチャ、またはＷＣＤロケーション識別子、またはタイムスタンプ、またはユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、請求項１に記載の方法。
【請求項１５】
前記送信することが、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記コンテンツアイテム要求と前記ブックマークとを送信することをさらに備える、請求項１に記載の方法。
【請求項１６】
前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、請求項１に記載の方法。
【請求項１７】
前記第１のコンテンツアイテムへの前記リンクは、前記ブックマークが所定の時間間隔で更新されることを可能にするための、前記第１のコンテンツアイテムへのアクティブリンクをさらに含む、請求項１６に記載の方法。
【請求項１８】
前記ブックマークを第３のデバイスに送信することであって、前記ブックマークは、前記第３のデバイスが前記第１のコンテンツアイテムにアクセスすることを可能にする、送信すること
をさらに備える、請求項１に記載の方法。
【請求項１９】
探索可能なキーワード構造を用いて前記ブックマークをタグ付けすることと、
前記探索可能なキーワード構造を介してアクセス可能であるように前記ブックマークを記憶することと
をさらに備える、請求項１に記載の方法。
【請求項２０】
前記第１のサービスプロバイダが無線局であり、前記第２のサービスプロバイダがセルラーネットワークサービスプロバイダである、請求項１に記載の方法。
【請求項２１】
前記第１のサービスプロバイダが無線局であり、前記第２のサービスプロバイダがインターネットサービスプロバイダである、請求項１に記載の方法。
【請求項２２】
前記第１のサービスプロバイダが第１のインターネットサービスプロバイダであり、前記第２のサービスプロバイダが第２のインターネットサービスプロバイダである、請求項１に記載の方法。
【請求項２３】
前記第１のサービスプロバイダが第１の無線局であり、前記第２のサービスプロバイダが、前記第１の無線局を含む１つまたは複数の無線局に関連付けられたウェブサーバである、請求項１に記載の方法。
【請求項２４】
ワイヤレス通信デバイスに配信されるコンテンツを取得するように構成された少なくとも１つのプロセッサであって、
第１のサービスプロバイダによって配信されたコンテンツアイテムをワイヤレス通信デバイス（ＷＣＤ）によって受信するための第１のモジュールと、
前記第１のコンテンツアイテムに少なくとも１つのＷＣＤ動作識別アイテムを結合するブックマークを取得するための第２のモジュールと、
前記ブックマークに結合されたコンテンツアイテム要求を前記ＷＣＤから第２のサービスプロバイダに送信するための第３のモジュールと、
前記送信されたコンテンツアイテム要求と前記ブックマークとを介して前記第１のコンテンツアイテムに関連付けられた第２のコンテンツアイテムを前記第２のサービスプロバイダから受信するための第４のモジュールと
を備える、プロセッサ。
【請求項２５】
第１のサービスプロバイダによって配信された第１のコンテンツアイテムをワイヤレス通信デバイス（ＷＣＤ）によって受信することをコンピュータに行わせるための第１のコードセットと、
前記第１のコンテンツアイテムに少なくとも１つのＷＣＤ動作識別アイテムを結合するブックマークを前記ＷＣＤによって生成することを前記コンピュータに行わせるための第２のコードセットと、
前記ブックマークに結合されたコンテンツアイテム要求を前記ＷＣＤから第２のサービスプロバイダに送信することを前記コンピュータに行わせるための第３のコードセットと、
前記送信されたコンテンツアイテム要求と前記ブックマークとを介して前記第１のコンテンツアイテムに関連付けられた第２のコンテンツアイテムを前記第２のサービスプロバイダから受信することを前記コンピュータに行わせるための第４のコードセットと
を備えるコンピュータ可読媒体
を備える、コンピュータプログラム製品。
【請求項２６】
第１のサービスプロバイダによって配信されたコンテンツアイテムをワイヤレス通信デバイス（ＷＣＤ）によって受信するための手段と、
前記第１のコンテンツアイテムに少なくとも１つのＷＣＤ動作識別アイテムを結合するブックマークを取得するための手段と、
前記ブックマークに結合されたコンテンツアイテム要求を前記ＷＣＤから第２のサービスプロバイダに送信するための手段と、
前記送信されたコンテンツアイテム要求と前記ブックマークとを介して前記第１のコンテンツアイテムに関連付けられた第２のコンテンツアイテムを前記第２のサービスプロバイダから受信するための手段と
を備える、装置。
【請求項２７】
第１のサービスプロバイダによって配信された第１のコンテンツアイテムをワイヤレス通信デバイス（ＷＣＤ）によって受信すること
を行うための受信機と、
前記第１のコンテンツアイテムに少なくとも１つのＷＣＤ動作識別アイテムを結合するブックマークを取得すること
を行うためのコンテンツモジュールと、
前記ブックマークに結合されたコンテンツアイテム要求を前記ＷＣＤから第２のサービスプロバイダに送信すること
を行うための送信機と
を備え、
前記受信機が、
前記送信されたコンテンツアイテム要求と前記ブックマークとを介して前記第１のコンテンツアイテムに関連付けられた第２のコンテンツアイテムを前記第２のサービスプロバイダから受信すること
を行うようにさらに動作可能である、
装置。
【請求項２８】
前記コンテンツモジュールは、
ユーザ選択によって、または前記受信機が前記第１のコンテンツアイテムを受信することに応答して自動的に、前記ＷＣＤ上でコンテンツ受信アプリケーションを開始すること
を行うようにさらに動作可能である、請求項２７に記載の装置。
【請求項２９】
前記第２のコンテンツアイテムを前記ＷＣＤに記憶すること
を行うための記憶モジュール
をさらに備え、
前記コンテンツモジュールが、
リアルタイムでストリーミングされたデータとしての前記第２のコンテンツアイテムにアクセスすること、または前記ＷＣＤのストレージからの前記第２のコンテンツアイテムにアクセスすることのいずれかによって、前記第２のコンテンツアイテムにアクセスすること
を行うようにさらに動作可能である、請求項２７に記載の装置。
【請求項３０】
前記コンテンツアイテムが、ブロードキャストすること、またはマルチキャストすること、またはユニキャストすることのうちの少なくとも１つによって配信される、請求項２７に記載の装置。
【請求項３１】
前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、ＸＭ無線フォーマットのうちの少なくとも１つを含むフォーマットを介して配信される、請求項２７に記載の装置。
【請求項３２】
前記受信機が、前記第１のコンテンツアイテムを取得したいという要求を受信することを行うようにさらに動作可能であり、
前記要求を前記受信することが、前記ＷＣＤへのユーザ選択を介して前記要求を受信すること、または前記ＷＣＤに通信可能に結合された第２のコンピューティングデバイスから前記要求を受信することのいずれかをさらに備え、前記第２のコンピューティングデバイスが、前記第１のコンテンツアイテムにアクセスでき、前記第１のコンテンツアイテムを要求するユーザ選択を受信する、請求項２７に記載の装置。
【請求項３３】
前記コンテンツモジュールが、
前記ＷＣＤによってブックマークを生成すること、または
第２のコンピューティングデバイスによって生成されたブックマークを受信すること
のうちの少なくとも１つを行うようにさらに動作可能である、請求項２７に記載の装置。
【請求項３４】
前記受信機が、
前記コンテンツアイテムに結合された情報を含むコンテンツガイドを受信することと、
前記コンテンツガイドからの選択を介した前記コンテンツアイテムの選択を介して前記第１のコンテンツアイテムを取得したいという要求を受信することと
を行うようにさらに動作可能である、請求項２７に記載の装置。
【請求項３５】
前記コンテンツモジュールが、
前記コンテンツガイドに結合されたブックマークを生成すること
を行うようにさらに動作可能である、請求項３４に記載の装置。
【請求項３６】
前記第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、請求項２７に記載の装置。
【請求項３７】
前記コンテンツモジュールが、前記第１のサービスプロバイダからアクセス可能な少なくとも１つの追加のコンテンツアイテムを選択することを行うようにさらに動作可能であり、
前記送信機が、前記選択を前記第１のサービスプロバイダに送信することを行うようにさらに動作可能であり、
前記受信機が、前記送信された選択に関連付けられた少なくとも第３のコンテンツアイテムを前記第１のサービスプロバイダから受信することを行うようにさらに動作可能である、請求項３６に記載の装置。
【請求項３８】
前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、請求項３６に記載の装置。
【請求項３９】
前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、請求項２７に記載の装置。
【請求項４０】
前記デバイス動作識別アイテムは、前記第１のコンテンツアイテムのオーディオクリップキャプチャ、またはＷＣＤロケーション識別子、またはタイムスタンプ、またはユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、請求項２７に記載の装置。
【請求項４１】
前記送信機が、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記コンテンツアイテム要求と前記ブックマークとを送信することを行うようにさらに動作可能である、請求項２７に記載の装置。
【請求項４２】
前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、請求項２７に記載の装置。
【請求項４３】
前記第１のコンテンツアイテムへの前記リンクは、前記ブックマークが所定の時間間隔で更新されることを可能にするための、前記第１のコンテンツアイテムへのアクティブリンクをさらに含む、請求項４２に記載の装置。
【請求項４４】
前記送信機は、
前記ブックマークを第３のデバイスに送信することであって、前記ブックマークは、前記第３のデバイスが前記第１のコンテンツアイテムにアクセスすることを可能にする、送信すること
を行うようにさらに動作可能である、請求項２７に記載の装置。
【請求項４５】
前記コンテンツモジュールが、
探索可能なキーワード構造を用いて前記ブックマークをタグ付けすることと、
前記探索可能なキーワード構造を介してアクセス可能であるように前記ブックマークを記憶することと
を行うようにさらに動作可能である、請求項２７に記載の装置。
【請求項４６】
前記第１のサービスプロバイダが無線局であり、前記第２のサービスプロバイダがセルラーネットワークサービスプロバイダである、請求項２７に記載の装置。
【請求項４７】
前記第１のサービスプロバイダが無線局であり、前記第２のサービスプロバイダがインターネットサービスプロバイダである、請求項２７に記載の装置。
【請求項４８】
前記第１のサービスプロバイダが第１のインターネットサービスプロバイダであり、前記第２のサービスプロバイダが第２のインターネットサービスプロバイダである、請求項２７に記載の装置。
【請求項４９】
前記第１のサービスプロバイダが第１の無線局であり、前記第２のサービスプロバイダが、前記第１の無線局を含む１つまたは複数の無線局に関連付けられたウェブサーバである、請求項２７に記載の装置。
【請求項５０】
ワイヤレス通信デバイスへのコンテンツの配信を可能にするための方法であって、前記方法は、
第１のサービスプロバイダによって配信された第１のコンテンツアイテムを前記第１のサービスプロバイダから受信することと、
前記第１のコンテンツアイテムに少なくとも１つのワイヤレス通信デバイス（ＷＣＤ）動作識別アイテムを結合するブックマークを含むコンテンツアイテム要求をＷＣＤから受信することと、
前記ＷＣＤから受信した前記ブックマークとともに前記第１のコンテンツアイテムを処理することによって前記コンテンツアイテムが利用可能であるかどうかを判断することと、
前記コンテンツアイテムが利用可能であると判断されると、前記送信されたコンテンツアイテム要求と前記ブックマークとを介して前記第１のコンテンツアイテムに関連付けられた第２のコンテンツアイテムを取得することと、
前記取得された第２のコンテンツアイテムを前記要求元ＷＣＤに送信することと
を備える、方法。
【請求項５１】
前記コンテンツアイテムが利用不可能であると判断されると、少なくとも１つの関係するコンテンツアイテムについての１つまたは複数のオプションを取得することと、
少なくとも１つの関係するコンテンツアイテムについての前記１つまたは複数のオプションを送信することと
をさらに備える、請求項５０に記載の方法。
【請求項５２】
少なくとも１つの関係するコンテンツアイテムについての前記１つまたは複数のオプションが、前記コンテンツアイテム要求と共通するジャンル、またはアーティスト名、またはアルバム名のうちの少なくとも１つを用いて１つまたは複数のコンテンツアイテムを選択することによって判断される、請求項５１に記載の方法。
【請求項５３】
前記ブックマークが、前記ＷＣＤまたは第２のコンピューティングデバイスのいずれかによって生成される、請求項５０に記載の方法。
【請求項５４】
前記第１のコンテンツアイテムに結合された情報を含むコンテンツガイドを前記第１のサービスプロバイダから受信すること
をさらに備え、
要求を前記受信することが、前記コンテンツガイドからの選択を介して前記コンテンツアイテムの選択を受信することをさらに備える、請求項５０に記載の方法。
【請求項５５】
取得された第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、請求項５０に記載の方法。
【請求項５６】
追加の第１のサービスプロバイダコンテンツの選択を前記ＷＣＤから受信することと、
前記選択された追加の第１のサービスプロバイダコンテンツに関連付けられた第３のコンテンツアイテムを前記ＷＣＤに送信することと
をさらに備える、請求項５５に記載の方法。
【請求項５７】
前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、請求項５５に記載の方法。
【請求項５８】
前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、ＸＭ無線フォーマットのうちの少なくとも１つを含むフォーマットを介して配信される、請求項５０に記載の方法。
【請求項５９】
前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、請求項５０に記載の方法。
【請求項６０】
前記デバイス動作識別アイテムは、前記第１のコンテンツアイテムのオーディオクリップキャプチャ、またはＷＣＤロケーション識別子、またはタイムスタンプ、ユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、請求項５０に記載の方法。
【請求項６１】
前記送信することが、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記取得された第２のコンテンツアイテムを送信することをさらに備える、請求項５０に記載の方法。
【請求項６２】
前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、請求項５０に記載の方法。
【請求項６３】
前記第１のコンテンツアイテムへの前記リンクは、前記ブックマークが所定の時間間隔で更新されることを可能にするための、前記第１のコンテンツアイテムへのアクティブリンクをさらに含む、請求項６２に記載の方法。
【請求項６４】
探索可能なキーワード構造を用いて前記ブックマークをタグ付けすることと、
前記探索可能なキーワード構造を介してアクセス可能であるように前記ブックマークを記憶することと
をさらに備える、請求項５０に記載の方法。
【請求項６５】
前記第１のサービスプロバイダが、無線局またはインターネットサービスプロバイダのいずれかである、請求項５０に記載の方法。
【請求項６６】
前記第１のサービスプロバイダが第１の無線局であり、前記第２のコンテンツアイテムが、前記第１の無線局を含む１つまたは複数の無線局に関連付けられたウェブサーバを介して取得される、請求項５０に記載の方法。
【請求項６７】
ワイヤレス通信デバイスへのコンテンツの配信を可能にするように構成された少なくとも１つのプロセッサであって、
第１のサービスプロバイダによって配信された第１のコンテンツアイテムを前記第１のサービスプロバイダから受信するための第１のモジュールと、
前記第１のコンテンツアイテムに少なくとも１つのワイヤレス通信デバイス（ＷＣＤ）動作識別アイテムを結合するブックマークを含むコンテンツアイテム要求をＷＣＤから受信するための第２のモジュールと、
前記ＷＣＤから受信した前記ブックマークとともに前記第１のコンテンツアイテムを処理することによって前記コンテンツアイテムが利用可能であるかどうかを判断するための第３のモジュールと、
前記送信されたコンテンツアイテム要求と前記ブックマークとを介して前記第１のコンテンツアイテムに関連付けられた第２のコンテンツアイテムが利用可能であると判断されると、前記コンテンツアイテムを取得するための第４のモジュールと、
前記取得された第２のコンテンツアイテムを前記要求元ＷＣＤに送信するための第５のモジュールと
を備える、プロセッサ。
【請求項６８】
第１のサービスプロバイダによって配信された第１のコンテンツアイテムを前記第１のサービスプロバイダから受信することをコンピュータに行わせるための第１のコードセットと、
前記第１のコンテンツアイテムに少なくとも１つのワイヤレス通信デバイス（ＷＣＤ）動作識別アイテムを結合するブックマークを含むコンテンツアイテム要求をＷＣＤから受信することを前記コンピュータに行わせるための第２のコードセットと、
前記ＷＣＤから受信した前記ブックマークとともに前記第１のコンテンツアイテムを処理することによって前記コンテンツアイテムが利用可能であるかどうかを判断することを前記コンピュータに行わせるための第３のコードセットと、
前記送信されたコンテンツアイテム要求と前記ブックマークとを介して前記第１のコンテンツアイテムに関連付けられた第２のコンテンツアイテムが利用可能であると判断されると、前記コンテンツアイテムを取得することを前記コンピュータに行わせるための第４のコードセットと、
前記取得された第２のコンテンツアイテムを前記要求元ＷＣＤに送信することを前記コンピュータに行わせるための第５のコードセットと
を備えるコンピュータ可読媒体
を備える、コンピュータプログラム製品。
【請求項６９】
第１のサービスプロバイダによって配信された第１のコンテンツアイテムを前記第１のサービスプロバイダから受信するための手段と、
前記第１のコンテンツアイテムに少なくとも１つのワイヤレス通信デバイス（ＷＣＤ）動作識別アイテムを結合するブックマークを含むコンテンツアイテム要求をＷＣＤから受信するための手段と、
前記ＷＣＤから受信した前記ブックマークとともに前記第１のコンテンツアイテムを処理することによって前記コンテンツアイテムが利用可能であるかどうかを判断するための手段と、
前記コンテンツアイテムが利用可能であると判断されると、前記送信されたコンテンツアイテム要求と前記ブックマークとを介して前記第１のコンテンツアイテムに関連付けられた第２のコンテンツアイテムを取得するための手段と、
前記取得された第２のコンテンツアイテムを前記要求元ＷＣＤに送信するための手段と
を備える、装置。
【請求項７０】
第１のフォーマットを使用して第１のサービスプロバイダによって配信された第１のコンテンツアイテムを前記第１のサービスプロバイダから受信することと、
前記第１のコンテンツアイテムに少なくとも１つのワイヤレス通信デバイス（ＷＣＤ）動作識別アイテムを結合するブックマークを含むコンテンツアイテム要求をＷＣＤから受信することと
を行うための受信機と、
前記ＷＣＤから受信した前記ブックマークとともに前記第１のコンテンツアイテムを処理することによって前記コンテンツアイテムが利用可能であるかどうかを判断することと、
前記コンテンツアイテムが利用可能であると判断されると、前記送信されたコンテンツアイテム要求と前記ブックマークとを介して前記第１のコンテンツアイテムに関連付けられた第２のコンテンツアイテムを取得することと
を行うためのコンテンツモジュールと、
前記取得された第２のコンテンツアイテムを前記要求元ＷＣＤに送信すること
を行うための送信機と
を備える、装置。
【請求項７１】
前記コンテンツモジュールは、
前記コンテンツアイテムが利用不可能であると判断されると、少なくとも１つの関係するコンテンツアイテムについての１つまたは複数のオプションを取得すること
を行うようにさらに動作可能であり、
前記送信機が、少なくとも１つの関係するコンテンツアイテムについての前記１つまたは複数のオプションを送信することを行うようにさらに動作可能である、請求項７０に記載の装置。
【請求項７２】
少なくとも１つの関係するコンテンツアイテムについての前記１つまたは複数のオプションが、前記コンテンツアイテム要求と共通するジャンル、またはアーティスト名、またはアルバム名のうちの少なくとも１つを用いて１つまたは複数のコンテンツアイテムを選択することによって判断される、請求項７１に記載の装置。
【請求項７３】
前記ブックマークが、前記ＷＣＤまたは第２のコンピューティングデバイスのいずれかによって生成される、請求項７０に記載の装置。
【請求項７４】
前記受信機が、
前記第１のコンテンツアイテムに結合された情報を含むコンテンツガイドを前記第１のサービスプロバイダから受信すること
を行うようにさらに動作可能であり、
前記受信機が、前記コンテンツガイドからの選択を介して前記コンテンツアイテムの選択を受信することを行うようにさらに動作可能である、請求項７０に記載の装置。
【請求項７５】
取得された第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、請求項７０に記載の装置。
【請求項７６】
前記受信機が、追加の第１のサービスプロバイダコンテンツの選択を前記ＷＣＤから受信することを行うようにさらに動作可能であり、
前記送信機が、前記選択された追加の第１のサービスプロバイダコンテンツに関連付けられた第３のコンテンツアイテムを前記ＷＣＤに送信することを行うようにさらに動作可能である、請求項７５に記載の装置。
【請求項７７】
前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、請求項７５に記載の装置。
【請求項７８】
前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、ＸＭ無線フォーマットのうちの少なくとも１つを含むフォーマットを介して配信される、請求項７０に記載の装置。
【請求項７９】
前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、請求項７０に記載の装置。
【請求項８０】
前記デバイス動作識別アイテムは、前記第１のコンテンツアイテムのオーディオクリップキャプチャ、またはＷＣＤロケーション識別子、またはタイムスタンプ、ユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、請求項７０に記載の装置。
【請求項８１】
前記送信機が、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記取得されたコンテンツアイテムを送信することを行うようにさらに動作可能である、請求項７０に記載の装置。
【請求項８２】
前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、請求項７０に記載の装置。
【請求項８３】
前記第１のコンテンツアイテムへの前記リンクは、前記ブックマークが所定の時間間隔で更新されることを可能にするための、前記第１のコンテンツアイテムへのアクティブリンクをさらに含む、請求項８２に記載の装置。
【請求項８４】
前記コンテンツモジュールが、
探索可能なキーワード構造を用いて前記ブックマークをタグ付けすることと、
前記探索可能なキーワード構造を介してアクセス可能であるように前記ブックマークを記憶することと
を行うようにさらに動作可能である、請求項７０に記載の装置。
【請求項８５】
前記第１のサービスプロバイダが、無線局またはインターネットサービスプロバイダのいずれかである、請求項７０に記載の装置。
【請求項８６】
前記第１のサービスプロバイダが第１の無線局であり、前記第２のコンテンツアイテムが、前記第１の無線局を含む１つまたは複数の無線局に関連付けられたウェブサーバを介して取得される、請求項７０に記載の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００９年４月１０日に出願された「METHODS AND APPARATUS FOR ENABLING CONTEXT SENSITIVE INTERACTION WITH FM RADIO PROGRAMS」と題する仮出願第６１／１６８，３２４号の優先権を主張する。
【０００２】
開示する態様は、１つまたは複数のネットワーク上でのコンテンツ配信者とワイヤレス通信デバイスとの間のコンテキストセンスティブ（context sensitive）な対話に関する。
【背景技術】
【０００３】
ＦＭ無線局などのブロードキャスト無線局は、それらの通常の無線番組、たとえば、音楽、トーク、ニュースなどに対応する補足情報を送信するための、本明細書では両方とも「ＲＤＳ」と呼ぶ、無線データシステム（ＲＤＳ）または無線ブロードキャストデータシステム（ＲＢＤＳ）として知られるシステムを使用することがある。ＲＤＳは、特定の無線局の識別情報、番組のタイプ、ならびにアーティスト名および／または曲名などのテキスト情報など、ブロードキャスト無線局によって送信されるいくつかのタイプの補足情報のための標準プロトコルを与える。
【０００４】
たとえば、ブロードキャスト無線局は、それらの番組および上記補足情報を、シングルキャリア上に多重化された別個の信号としてＲＤＳフォーマットで送信する。一部のワイヤレス通信デバイスに含まれる無線受信機または車両中の無線受信機など、ＲＤＳデコーダを有する無線受信機は、ユーザが、送信された番組をリッスンし、対応する補足情報をディスプレイ上で閲覧することを可能にする。
【０００５】
現在、一部のモバイル事業者は、対話型ＦＭ  ＲＤＳサービスをサポートするための適切なリソースを含んでいないことがある。さらに、モバイル事業者は、モバイルユーザがＦＭ  ＲＭＳ対応デバイスにとって利用可能な情報と対話できるようにするバックエンドデータベース統合をサポートするための適切なリソースを含んでいないことがある。したがって、ＲＤＳ関係のコンテンツへのアクセスを可能にするためにＦＭ  ＲＤＳ非対応モバイルデバイスとモバイル事業者との間に対話性を与えるための改善された装置および方法が望まれる。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびその対応する開示に従って、配信されるコンテンツをワイヤレス通信デバイスによって取得することに関して、様々な態様について説明する。一態様によれば、配信されるコンテンツをワイヤレス通信デバイスによって取得するための方法を提供する。本方法は、第１のサービスプロバイダによって配信された第１のコンテンツアイテムをワイヤレス通信デバイス（ＷＣＤ）によって受信することを含み得る。さらに、本方法は、上記第１のコンテンツアイテムに少なくとも１つのＷＣＤ動作識別アイテムを結合するブックマークを取得することを含み得る。さらに、本方法は、上記ブックマークに結合されたコンテンツアイテム要求を上記ＷＣＤから第２のサービスプロバイダに送信することを含み得る。その上、本方法は、上記送信されたコンテンツアイテム要求と上記ブックマークとを介して上記第１のコンテンツアイテムに関連付けられた第２のコンテンツアイテムを上記第２のサービスプロバイダから受信することを含み得る。
【０００８】
さらに別の態様は、ワイヤレス通信デバイスに配信されるコンテンツを取得するように構成された少なくとも１つのプロセッサに関する。本プロセッサは、第１のサービスプロバイダによって配信されたコンテンツアイテムをワイヤレス通信デバイス（ＷＣＤ）によって受信するための第１のモジュールを含み得る。さらに、本プロセッサは、上記第１のコンテンツアイテムに少なくとも１つのＷＣＤ動作識別アイテムを結合するブックマークを取得するための第２のモジュールを含み得る。さらに、本プロセッサは、上記ブックマークに結合されたコンテンツアイテム要求を上記ＷＣＤから第２のサービスプロバイダに送信するための第３のモジュールを含み得る。その上、本プロセッサは、上記送信されたコンテンツアイテム要求と上記ブックマークとを介して上記第１のコンテンツアイテムに関連付けられた第２のコンテンツアイテムを上記第２のサービスプロバイダから受信するための第４のモジュールを含み得る。
【０００９】
さらに別の態様は、コンピュータ可読媒体を備えるコンピュータプログラム製品に関する。本コンピュータプログラム製品は、第１のサービスプロバイダによって配信された第１のコンテンツアイテムをワイヤレス通信デバイス（ＷＣＤ）によって受信することをコンピュータに行わせるための第１のコードセットを含むコンピュータ可読媒体を含み得る。本コンピュータプログラム製品は、さらに、上記第１のコンテンツアイテムに少なくとも１つのＷＣＤ動作識別アイテムを結合するブックマークを上記ＷＣＤによって生成することを上記コンピュータに行わせるための第２のコードセットを含むコンピュータ可読媒体を含み得る。本コンピュータプログラム製品は、またさらに、上記ブックマークに結合されたコンテンツアイテム要求を上記ＷＣＤから第２のサービスプロバイダに送信することを上記コンピュータに行わせるための第３のコードセットを含むコンピュータ可読媒体を含み得る。さらに、本コンピュータプログラム製品は、上記送信されたコンテンツアイテム要求と上記ブックマークとを介して上記第１のコンテンツアイテムに関連付けられた第２のコンテンツアイテムを上記第２のサービスプロバイダから受信することを上記コンピュータに行わせるための第４のコードセットを含むコンピュータ可読媒体を含み得る。
【００１０】
さらに別の態様は装置に関する。本装置は、第１のサービスプロバイダによって配信されたコンテンツアイテムをワイヤレス通信デバイス（ＷＣＤ）によって受信するための手段を含み得る。本装置は、さらに、上記第１のコンテンツアイテムに少なくとも１つのＷＣＤ動作識別アイテムを結合するブックマークを取得するための手段を含み得る。さらに、本装置は、上記ブックマークに結合されたコンテンツアイテム要求を上記ＷＣＤから第２のサービスプロバイダに送信するための手段を含み得る。その上、本装置は、上記送信されたコンテンツアイテム要求と上記ブックマークとを介して上記第１のコンテンツアイテムに関連付けられた第２のコンテンツアイテムを上記第２のサービスプロバイダから受信するための手段を含み得る。
【００１１】
別の態様は装置に関する。本装置は、第１のサービスプロバイダによって配信された第１のコンテンツアイテムをワイヤレス通信デバイス（ＷＣＤ）によって受信することを行うための受信機を含み得る。さらに、本装置は、上記第１のコンテンツアイテムに少なくとも１つのＷＣＤ動作識別アイテムを結合するブックマークを取得することを行うためのコンテンツモジュールを含み得る。さらに、本装置は、上記ブックマークに結合されたコンテンツアイテム要求を上記ＷＣＤから第２のサービスプロバイダに送信することを行うための送信機を含み得る。その上、上記受信機は、上記送信されたコンテンツアイテム要求と上記ブックマークとを介して上記第１のコンテンツアイテムに関連付けられた第２のコンテンツアイテムを上記第２のサービスプロバイダから受信することを行うようにさらに動作可能であり得る。
【００１２】
さらに、１つまたは複数の態様およびその対応する開示に従って、ワイヤレス通信デバイスへのコンテンツの配信を可能にすることに関して、様々な態様について説明する。一態様によれば、ワイヤレス通信デバイスへのコンテンツの配信を可能にするための方法を提供する。本方法は、第１のサービスプロバイダによって配信された第１のコンテンツアイテムを上記第１のサービスプロバイダから受信することを含み得る。さらに、本方法は、上記第１のコンテンツアイテムに少なくとも１つのワイヤレス通信デバイス（ＷＣＤ）動作識別アイテムを結合するブックマークを含むコンテンツアイテム要求をＷＣＤから受信することを含み得る。またさらに、本方法は、上記ＷＣＤから受信した上記ブックマークとともに上記第１のコンテンツアイテムを処理することによって上記コンテンツアイテムが利用可能であるかどうかを判断することを含み得る。さらに、本方法は、上記コンテンツアイテムが利用可能であると判断されると、上記送信されたコンテンツアイテム要求と上記ブックマークとを介して上記第１のコンテンツアイテムに関連付けられた第２のコンテンツアイテムを取得することを含み得る。その上、本方法は、上記取得された第２のコンテンツアイテムを上記要求元ＷＣＤに送信することを含み得る。
【００１３】
さらに別の態様は、ワイヤレス通信デバイスへのコンテンツの配信を可能にするように構成された少なくとも１つのプロセッサに関する。本プロセッサは、第１のサービスプロバイダによって配信された第１のコンテンツアイテムを上記第１のサービスプロバイダから受信するための第１のモジュールを含み得る。さらに、本プロセッサは、上記第１のコンテンツアイテムに少なくとも１つのワイヤレス通信デバイス（ＷＣＤ）動作識別アイテムを結合するブックマークを含むコンテンツアイテム要求をＷＣＤから受信するための第２のモジュールを含み得る。またさらに、本プロセッサは、上記ＷＣＤから受信した上記ブックマークとともに上記第１のコンテンツアイテムを処理することによって上記コンテンツアイテムが利用可能であるかどうかを判断するための第３のモジュールを含み得る。さらに、本プロセッサは、上記送信されたコンテンツアイテム要求と上記ブックマークとを介して上記第１のコンテンツアイテムに関連付けられた第２のコンテンツアイテムが利用可能であると判断されると、上記コンテンツアイテムを取得するための第４のモジュールを含み得る。その上、本プロセッサは、上記取得された第２のコンテンツアイテムを上記要求元ＷＣＤに送信するための第５のモジュールを含み得る。
【００１４】
さらに別の態様は、コンピュータ可読媒体を備えるコンピュータプログラム製品に関する。本コンピュータプログラム製品は、第１のサービスプロバイダによって配信された第１のコンテンツアイテムを上記第１のサービスプロバイダから受信することをコンピュータに行わせるための第１のコードセットを含むコンピュータ可読媒体を含み得る。本コンピュータプログラム製品はまた、上記第１のコンテンツアイテムに少なくとも１つのワイヤレス通信デバイス（ＷＣＤ）動作識別アイテムを結合するブックマークを含むコンテンツアイテム要求をＷＣＤから受信することを上記コンピュータに行わせるための第２のコードセットを含むコンピュータ可読媒体を含み得る。本コンピュータプログラム製品は、さらに、上記ＷＣＤから受信した上記ブックマークとともに上記第１のコンテンツアイテムを処理することによって上記コンテンツアイテムが利用可能であるかどうかを判断することを上記コンピュータに行わせるための第３のコードセットを含むコンピュータ可読媒体を含み得る。本コンピュータプログラム製品は、またさらに、上記送信されたコンテンツアイテム要求と上記ブックマークとを介して上記第１のコンテンツアイテムに関連付けられた第２のコンテンツアイテムが利用可能であると判断されると、上記コンテンツアイテムを取得することを上記コンピュータに行わせるための第４のコードセットを含むコンピュータ可読媒体を含み得る。さらに、本コンピュータプログラム製品は、上記取得された第２のコンテンツアイテムを上記要求元ＷＣＤに送信することを上記コンピュータに行わせるための第５のコードセットを含むコンピュータ可読媒体を含み得る。
【００１５】
さらに別の態様は装置に関する。本装置は、第１のサービスプロバイダによって配信された第１のコンテンツアイテムを上記第１のサービスプロバイダから受信するための手段を含み得る。本装置は、さらに、上記第１のコンテンツアイテムに少なくとも１つのワイヤレス通信デバイス（ＷＣＤ）動作識別アイテムを結合するブックマークを含むコンテンツアイテム要求をＷＣＤから受信するための手段を含み得る。本装置は、またさらに、上記ＷＣＤから受信した上記ブックマークとともに上記第１のコンテンツアイテムを処理することによって上記コンテンツアイテムが利用可能であるかどうかを判断するための手段を含み得る。さらに、本装置は、上記コンテンツアイテムが利用可能であると判断されると、上記送信されたコンテンツアイテム要求と上記ブックマークとを介して上記第１のコンテンツアイテムに関連付けられた第２のコンテンツアイテムを取得するための手段を含み得る。その上、本装置は、上記取得された第２のコンテンツアイテムを上記要求元ＷＣＤに送信するための手段を含み得る。
【００１６】
別の態様は装置に関する。本装置は、第１のフォーマットを使用して第１のサービスプロバイダによって配信された第１のコンテンツアイテムを上記第１のサービスプロバイダから受信することと、上記第１のコンテンツアイテムに少なくとも１つのワイヤレス通信デバイス（ＷＣＤ）動作識別アイテムを結合するブックマークを含むコンテンツアイテム要求をＷＣＤから受信することとを行うための受信機を含み得る。本装置は、さらに、上記ＷＣＤから受信した上記ブックマークとともに上記第１のコンテンツアイテムを処理することによって上記コンテンツアイテムが利用可能であるかどうかを判断することと、上記コンテンツアイテムが利用可能であると判断されると、上記送信されたコンテンツアイテム要求と上記ブックマークとを介して上記第１のコンテンツアイテムに関連付けられた第２のコンテンツアイテムを取得することとを行うためのコンテンツモジュールを含み得る。その上、本装置は、上記取得された第２のコンテンツアイテムを上記要求元ＷＣＤに送信することを行うための送信機を含み得る。
【００１７】
上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１８】
添付の図面とともに以下に説明する開示する態様は、開示する態様を限定するためではなく、開示する態様を例示するために与えられ、同様の表示は同様の要素を示す。
【図面の簡単な説明】
【００１９】
【図１】一態様による通信ネットワークのブロック図。
【図２】通信ネットワークコンテンツ配信プロセスの概観の一態様のフローチャート。
【図３Ａ】図１に示す一態様の動作のメッセージシーケンスチャート。
【図３Ｂ】図１に示す一態様の動作のメッセージシーケンスチャート。
【図３Ｃ】図１に示す一態様の動作のメッセージシーケンスチャート。
【図３Ｄ】図１に示す一態様の動作のメッセージシーケンスチャート。
【図３Ｅ】図１に示す一態様の動作のメッセージシーケンスチャート。
【図４】ワイヤレス通信デバイスの例示的なアーキテクチャのブロック図。
【図５】一態様によるサービスプロバイダシステムの例示的なブロック図。
【図６】ワイヤレス通信デバイスに配信されるコンテンツを取得することができる例示的な通信デバイスのブロック図。
【図７】ワイヤレス通信デバイスへのコンテンツの配信を可能にすることができる例示的なネットワークデバイスのブロック図。
【図８】一態様による例示的な多元接続ワイヤレス通信システムを示す図。
【図９】例示的な通信システムのブロック図。
【発明を実施するための形態】
【００２０】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００２１】
１次コンテンツに関連付けられた２次コンテンツおよび／またはコンテキスト関係のコンテンツに直接アクセスすることができないことがあるデバイスに第１のサービスプロバイダによって配信される２次コンテンツおよび／またはコンテキスト関係のコンテンツにアクセスする能力は、そのデバイスと、２次コンテンツおよび／またはコンテキストコンテンツを処理することが可能である第２のサービスプロバイダとの間の対話性を使用することによって達成され得る。特に、本態様は、ワイヤレスデバイスが２次コンテンツに直接アクセスできる必要なしに、ワイヤレスデバイスが、セルラーネットワークサービスプロバイダ、インターネットサービスプロバイダなどの第２のサービスプロバイダを介してＦＭ信号などの無線信号を受信し、ＦＭ  ＲＤＳデータなどの、無線信号に関連付けられた２次コンテンツにアクセスすることを可能にする。
【００２２】
図１を参照すると、一態様による通信ネットワーク１００のブロック図が示されている。通信ネットワーク１００は、通信ネットワーク１２０、たとえば、ＣＤＭＡネットワーク、ＧＰＲＳネットワーク、ＵＭＴＳネットワーク、ＩＰネットワーク、ＦＭベースのネットワーク、ＡＭベースのネットワーク、衛星無線ネットワーク、および他のタイプの通信ネットワークまたは複数のタイプの通信ネットワークの組合せに接続された、ワイヤレス通信デバイス１１０のうちの１つまたは複数を含み得る（図１は、図示されていない可能な複数のデバイスの表現として、通信デバイス１１０の隣に省略符号を示している）。通信ネットワーク１００は、さらに、１つまたは複数の通信ネットワーク１２０に接続された複数のサーバ１３０、１４０を含み得る。一態様では、複数のサーバは第１のサービスプロバイダサーバ１３０と第２のサービスプロバイダサーバ１４０とを含む。例示的な一態様では、サーバ１３０は、ＦＭベースのネットワークを介してコンテンツアイテム１３２をワイヤレス通信デバイス１１０に通信し得、サーバ１４０は、ＣＤＭＡネットワーク、ＩＰネットワークなどを介してワイヤレス通信デバイス１１０と通信し得る。別の態様では、追加または代替として、コンテンツアイテム１３２は、ＣＤＭＡネットワーク、ＩＰネットワークなどを介してワイヤレス通信デバイス１１０に通信され得る（たとえば、ストリーミングされ得る）。一態様では、ワイヤレス通信デバイス１１０は、さらに、コンテンツモジュール１１２を含み得る。さらに、コンテンツモジュール１１０はブックマークモジュール１１６とデバイス動作識別モジュール１１８とを含み得る。
【００２３】
一態様では、通信ネットワーク１００は、さらに、第２のコンピューティングデバイス１５０を含み得る。そのような態様では、第２のコンピューティングデバイス１５０は、ワイヤレス通信デバイス１１０に通信可能に結合され得、さらに、コンテンツアイテム識別データ１５２を受信することが可能であり得る。たとえば、第２のコンピューティングデバイス１５０は、第１のサービスプロバイダサーバ１３０によるコンテンツアイテム１３２の配信に付随し得るＦＭ  ＲＤＳデータを受信することが可能なパーソナルナビゲーションデバイス（ＰＮＤ）を含み得る。そのような例示的な態様では、第２のコンピューティングデバイス１５０は、さらに、ワイヤレス通信デバイスが、コンテンツアイテム識別データ１５２を介して、配信されたコンテンツアイテム１３２を識別して、コンテンツアイテム要求１１４を生成するのを支援し得る。別の例示的な態様では、第２のコンピューティングデバイス１５０は、第２のコンピューティングデバイス１５０が、第１のサービスプロバイダサーバ１３０に関連付けられたウェブサイトなどからコンテンツアイテム識別データ１５２を検索することを可能にするために、インターネットアクセスなどのネットワークアクセスをもつコンピュータを含み得る。そのような例示的な態様では、第２のコンピューティングデバイス１５０は、さらに、ワイヤレス通信デバイスが、コンテンツアイテム識別データ１５２を介して、配信されたコンテンツアイテム１３２を識別して、コンテンツアイテム要求１１４を生成するのを支援し得る。
【００２４】
動作中、ワイヤレス通信デバイス１１０は、第１のサービスプロバイダ１３０によって配信されたコンテンツアイテム１３２の信号を受信し得る。そのような態様では、第１のサービスプロバイダはコンテンツアイテム１３２をブロードキャストし、マルチキャストし、および／またはユニキャストし得る。一態様では、配信されたコンテンツは、コンテンツに関連付けられたデータ（たとえばＦＭ  ＲＤＳデータ）を含み得る。さらに、そのような態様では、ワイヤレス通信デバイス１１０は、付随のＦＭ  ＲＤＳデータを受信することができないことがある。さらに、一態様では、第１のサービスプロバイダ１３０は、限定はしないが、周波数変調（ＦＭ）フォーマット、振幅変調（ＡＭ）フォーマット、衛星無線フォーマット、インターネットプロトコル（ＩＰ）フォーマット、ＨＤ無線フォーマット、ＸＭ無線フォーマットなどのフォーマットを使用してコンテンツアイテム１３２を配信し得る。またさらに、動作中、コンテンツモジュール１１２は、第１のサービスプロバイダサーバ１３０によって配信されたコンテンツアイテム１３２またはコンテンツアイテム１３２のバージョンへのアクセスを取得したいというコンテンツアイテム要求１１４を生成し得る。さらに、一態様では、要求されたコンテンツアイテム１３２を識別および取得するのを支援するために、ブックマークモジュール１１６は、コンテンツアイテム要求に少なくとも１つのデバイス動作識別アイテム１１８を結合し得る。追加または代替として、一態様では、ブックマークモジュール１１６は、コンテンツアイテム要求に少なくとも１つのデバイス動作識別アイテム１１８を結合するブックマークを第２のコンピューティングデバイスなどの別のデバイスから受信し得る。一態様では、デバイス動作識別アイテムは、コンテンツアイテム１３２のオーディオクリップキャプチャ、ＷＣＤ１１０ロケーション識別子、タイムスタンプ、ユーザが入力したコンテンツアイテムタグ、コンテンツアイテム１３２とともに受信されたメタデータの少なくとも一部分、コンテンツアイテム１３２についての無線データシステム（ＲＤＳ）情報、またはコンテンツガイド１３４から取得された、コンテンツアイテム１３２についての情報のうちの少なくとも１つを含み得る。一態様では、ブックマークモジュール１１６は、第１のコンテンツアイテムにリンクされたデータ、第１のコンテンツアイテムを定義するデータ、または第１のコンテンツアイテムへのリンクのうちの少なくとも１つを含むブックマークを生成し得る。そのような態様では、第１のコンテンツアイテムへのリンクは、さらに、ブックマークが、周期的になど、所定の時間間隔で、ユーザ選択時などに、更新されることを可能にするための、第１のコンテンツアイテムへのアクティブリンクを含み得る。別の態様では、ブックマークモジュールはコンテンツガイド１３４のためのブックマークを生成し得る。一態様では、コンテンツアイテム要求１１４を生成すると、ワイヤレス通信デバイス１１０は、ネットワーク１２０を介してコンテンツアイテム要求１１４を第２のサービスプロバイダサーバ１４０に送信し得る。一態様では、たとえば、その要求は、ＣＤＭＡ、ＷＣＤＭＡ(登録商標)、ＴＤＭＡ、ＴＤ−ＳＣＤＭＡ、ＵＭＴＳ、ＩＰ  ＧＳＭ(登録商標）、ＬＴＥ、ＷｉＭａｘ、ＷｉＦｉ、ＵＭＢ、ＥＶ−ＤＯなどのプロトコルを使用してネットワーク上で送信され得る。
【００２５】
さらに、動作中、第２のサービスプロバイダサーバ１４０は、ブックマーク情報に結合されたコンテンツアイテム要求１１４を受信し得る。第２のサービスプロバイダサーバ１４０は、ワイヤードまたはワイヤレス接続１４５を介して第１のサービスプロバイダサーバ１３０に通信可能に結合され得る。したがって、一態様では、第２のサービスプロバイダサーバ１４０は、コンテンツアイテム要求１１４と任意のデバイス動作識別アイテムとを処理して、コンテンツアイテム要求１１４中で要求されたコンテンツアイテム１３２を判断し得る。たとえば、コンテンツアイテム１３２は、限定はしないが、音楽、ピクチャ、トークショー、ブログ、コンテスト、対話型ボイス応答（ＩＶＲ）呼、ニュース記事、ビデオ、壁紙など、またはそれらの任意の組合せのいずれかを含み得る。その後、第２のサービスプロバイダサーバ１４０は、識別されたコンテンツアイテム１３２を取得しようと試み得る。一態様では、コンテンツアイテム１３２が取得され得る場合、コンテンツアイテム１３２のバージョンがワイヤレス通信デバイスに送信され得る。そのような態様では、オーディオコンテンツアイテムは、限定はしないが、．ｗａｖファイルフォーマット、または．ａａｃファイルフォーマット、または．ｑｃｐファイルフォーマット、ＭＰ３ファイルフォーマットなどのフォーマットを用いて取得され得る。さらに、ピクチャ、壁紙などの視覚コンテンツアイテムは、限定はしないが、ｊｐｅｇフォーマット、．ｇｉｆフォーマット、．ｔｉｆｆフォーマット、．ｂｍｐフォーマットなどのフォーマットを用いて取得され得る。その後、取得されたコンテンツアイテムは、記憶、アクセスなどのためにワイヤレス通信デバイス１１０に送信され得る。
【００２６】
したがって、ワイヤレス通信デバイス１１０は、要求されたコンテンツアイテム１３２を第２のサービスプロバイダ１４０が識別することを可能にするためにワイヤレス通信デバイス１１０を十分に識別するデータを与えることにより、第１のサービスプロバイダ１３０によって配信されたコンテンツアイテム１３２を取得し得る。
【００２７】
図２に、請求する主題による様々な方法を示す。説明を簡単にするために、方法を一連の行為として図示および説明するが、いくつかの行為は本明細書で図示および説明する行為とは異なる順序で、および／または他の行為と同時に、行われ得るので、請求する主題は行為の順序によって限定されないことを理解および諒解されたい。たとえば、方法は、状態図など、一連の相互に関係する状態またはイベントとして代替的に表現できることを、当業者は理解および諒解するであろう。さらに、請求する主題による方法を実装するために、図示のすべての行為が必要とされるわけではない。さらに、以下および本明細書の全体にわたって開示する方法は、そのような方法をコンピュータにトランスポートおよび転送することを可能にする製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【００２８】
図２を参照すると、参照番号２０２において、第１のサービスプロバイダによって配信されたコンテンツアイテムを受信する。一態様では、コンテンツアイテムは、周波数変調（ＦＭ）フォーマット、振幅変調（ＡＭ）フォーマット、衛星無線フォーマット、インターネットプロトコル（ＩＰ）フォーマットなどのフォーマットを使用して配信され得る。たとえば、ユーザは、ＦＭ無線局から送信された曲を聴取し得る。そのような例示的な態様では、ユーザは、ワイヤレスデバイスを介して無線をリッスンしていることがあり、ユーザは、ワイヤレスデバイスに通信可能に結合されたデバイスを介して無線をリッスンしていることがあり、および／またはユーザは、ワイヤレスデバイスに通信可能に結合されていないデバイスを介して無線をリッスンしていることがあるが、その場合、ワイヤレスデバイスはユーザにとってアクセス可能である。一態様では、参照番号２０３において、第１のサービスプロバイダによって配信されたコンテンツアイテムを取得したいという要求を受信する。たとえば、ユーザがワイヤレスデバイス上でリッスンしている場合、その曲が取得されることをユーザが要求することを可能にするプロンプトが存在し、選択され得る。別の例では、ユーザが、ワイヤレス通信デバイスに通信可能に結合された第２のデバイスをリッスンしている場合、ユーザは、その曲が取得されることを要求するように第２のデバイス上で選択を行い得、そのような要求はワイヤレス通信デバイスに通信され得る。さらに別の例では、ユーザは、第１のサービスプロバイダから信号を受信するように動作可能でないワイヤレスデバイスを介して選択を行う。そのような例示的な態様では、ワイヤレス通信デバイスは、ユーザが、選択を行うことと、さらに、要求されたコンテンツアイテムをワイヤレスデバイスが後に識別することを可能にするのに十分な情報を取得することとを可能にするための、擬似無線アプリケーションなどを使用し得る。
【００２９】
参照番号２０４において、第１のサービスプロバイダからのコンテンツが、ＦＭ、ＡＭ、衛星無線などの無線フォーマットを介して配信されたのか、またはそのコンテンツがＩＰフォーマットを介してストリーミングされたのかに関する判断を行う。コンテンツがＩＰフォーマットを用いて配信されたと判断されると、参照番号２０６において、ストリーミングされ、要求されたコンテンツアイテムに関連付けられたコンテキスト情報からブックマークを生成する。一例では、ストリーミングされたコンテンツは、各コンテンツアイテムに結合されたコンテキストデータを含み得る。別の例では、第１のサービスプロバイダによって配信されたコンテンツアイテムの少なくとも一部分についてのコンテキスト情報を与えるコンテンツガイドが取得され得る。一態様では、要求されたコンテンツアイテム、ユーザ、および／またはデバイスをさらに識別するために、追加のユーザおよび／またはワイヤレス通信デバイス情報がブックマークに追加され得る。たとえば、限定はしないが、コンテンツアイテムのオーディオクリップキャプチャ、ＷＣＤロケーション識別子、タイムスタンプ、ユーザが入力したコンテンツアイテムタグ、コンテンツアイテムとともに受信されたメタデータの少なくとも一部分、コンテンツアイテムについての無線データシステム（ＲＤＳ）情報、またはコンテンツガイドから取得された、コンテンツアイテムについての情報などの、デバイス動作識別データが、取得され、ブックマークに追加され得る。
【００３０】
コンテンツアイテムが無線フォーマットを介して配信されたと判断されると、参照番号２０８において、要求されたコンテンツアイテムが、要求されたコンテンツアイテムの識別を可能にするための任意の付随のコンテキスト情報とともに送信されたかどうかに関する判断を行う。たとえば、コンテンツアイテムは、ＦＭフォーマットを使用して、ＦＭ  ＲＤＳデータなどの付随のコンテキスト情報とともに配信され得、付随のコンテキスト情報は、付随のコンテキスト情報とともに配信されたコンテンツアイテムを明確に識別し得る。
【００３１】
コンテンツアイテムが、ＦＭ  ＲＤＳなどの付随のコンテキスト情報とともに配信されたと判断されると、参照番号２１０において、コンテキスト情報が取得され得るかどうかに関する判断を行う。たとえば、要求元ワイヤレス通信デバイスはＦＭ  ＲＤＳ対応であり得、またはワイヤレス通信デバイスに通信可能に結合されたデバイスがＦＭ  ＲＤＳ対応であり、それにより、付随のコンテキスト情報を取得することが可能になり得る。参照番号２１０において、付随のコンテキスト情報が取得され得ると判断された場合、上記で説明したように、参照番号２０６において、付随のコンテキスト情報を含むブックマークを生成する。一態様では、要求されたコンテンツアイテム、ユーザ、またはデバイスをさらに識別するために、追加のユーザおよび／またはワイヤレス通信デバイス情報がブックマークに追加され得る。
【００３２】
コンテンツアイテムが付随のコンテキスト情報とともに配信されなかったか、または要求元デバイスがいずれのそのような情報にもアクセスすることができないかのいずれかの場合、参照番号２１２において、ワイヤレスデバイスが、配信された無線信号を直接受信することができるかどうかに関する判断を行う。たとえば、ワイヤレスデバイスは、無線局へのアクセスを可能にするためのＦＭトランシーバを含み得る。デバイスが無線対応であると判断された場合、参照番号２１４において、受信した無線信号に関連付けられたデータを少なくとも使用してブックマークを生成する。たとえば、ブックマークは、デバイスが同調される無線周波数、ロケーション識別情報、タイムスタンプ、ユーザが入力したコンテンツアイテムタグ、コンテンツアイテムとともに受信されたメタデータの少なくとも一部分などの情報を含み得る。対照的に、参照番号２１２において、デバイスが無線対応でないと判断された場合、参照番号２１６において、要求されたコンテンツアイテムの識別を可能にするための擬似無線アプリケーションなどを使用してブックマークを生成する。一態様では、擬似無線アプリケーションは、要求されたコンテンツアイテムが配信された周波数を取得し得る。たとえば、ユーザは、その周波数を擬似無線アプリケーションに入力し得る。さらに、ブックマークを生成するために、コンテンツアイテムのオーディオクリップキャプチャ、ＷＣＤロケーション識別子、タイムスタンプ、ユーザが入力したコンテンツアイテムタグなど、追加のデバイス動作識別情報が取得され得る。
【００３３】
参照番号２１８において、要求されたコンテンツアイテムを取得することを可能にするために、生成されたブックマークをサービスプロバイダに送信する。一態様では、その送信は、ＣＤＭＡ、ＷＣＤＭＡ、ＴＤＭＡ、ＴＤ−ＳＣＤＭＡ、ＵＭＴＳ、ＩＰなどのプロトコルを使用してネットワーク上で処理され得る。一態様では、その要求は、要求されたコンテンツアイテムを配信したサービスプロバイダとは異なるサービスプロバイダに送信され得る。別の態様では、その要求は、要求されたコンテンツアイテムを配信したのと同じサービスプロバイダに送信され得る。
【００３４】
図３Ａ、図３Ｂ、図３Ｃ、図３Ｄおよび図３Ｅを参照すると、図１に示す主題の動作がメッセージシーケンス図の形態で示されている。詳細には、図３Ａを参照すると、第１のサービスプロバイダによって配信された、追加のコンテキスト情報をもたないコンテンツアイテムを収集するためのメッセージシーケンス図が示されている。図３Ｂを参照すると、配信されるコンテンツアイテムを直接受信することができないデバイスに第１のサービスプロバイダによって配信された、追加のコンテキスト情報をもたないコンテンツアイテムを収集するためのメッセージシーケンス図が示されている。図３Ｃを参照すると、第２のサービスプロバイダを介して第１のサービスプロバイダによって配信されたコンテンツアイテムを収集するためのメッセージシーケンス図が示されている。図３Ｄを参照すると、２次中間デバイスを使用することにより、配信されるコンテンツアイテムを直接受信することができないデバイスに第１のサービスプロバイダによって配信されたコンテンツアイテムを収集するためのメッセージシーケンス図が示されている。
【００３５】
概して、コンテンツ配信システム３００は、第１のサービスプロバイダ３０２と、第２のサービスプロバイダ３０４と、ワイヤレス通信デバイス（ＷＣＤ）３０６とを含み得る。一態様では、第１および第２のサービスプロバイダは、単一のサービスプロバイダとして動作させられ得る。別の態様では、第１のサービスプロバイダと第２のサービスプロバイダは、別々に動作させられ、および／または制御され得る。図３Ａ〜図３Ｄに関して、図示された態様間で同様であるシーケンスステップは、それに応じて番号付けされており、そのシーケンスステップ番号の最初の参照に付随するいかなる説明も、その後の使用と同様であり得る。したがって、シーケンスステップの最初の使用のみについて説明を与える。
【００３６】
図３Ａに戻ると、シーケンスステップ３０８において、第１のサービスプロバイダ３０２が、コンテンツ配信スケジュールなどのコンテンツ情報を第２のサービスプロバイダ３０４と同期させ得る。一態様では、そのような同期は、リアルタイムで、周期的に、または要求時に、行われ得る。たとえば、第１のサービスプロバイダ３０４は、日々あらかじめ定義された時間に、２４時間分のコンテンツのコンテンツ配信スケジュールを第２のサービスプロバイダ３０４に供給し得る。シーケンスステップ３１０において、第１のサービスプロバイダ３０２はコンテンツを配信する。図示された態様では、そのコンテンツはＷＣＤ３０６によって受信される。一態様では、第１のサービスプロバイダは、周波数変調（ＦＭ）フォーマット、振幅変調（ＡＭ）フォーマット、衛星無線フォーマット、インターネットプロトコル（ＩＰ）フォーマットなどのフォーマットを使用してコンテンツをブロードキャストするか、マルチキャストするか、またはユニキャストし得る。
【００３７】
シーケンスステップ３１２において、第１のサービスプロバイダ３０２によって配信されたコンテンツアイテムを取得することを要求するようにＷＣＤ３０６上で選択が行われる。さらに、そのような選択は、配信されたコンテンツアイテムを識別するのに十分な情報を含み得るブックマークを生成することを含む。一態様では、そのようなデバイス識別情報は、コンテンツアイテムのオーディオクリップキャプチャ、ＷＣＤロケーション識別子、タイムスタンプ、ユーザが入力したコンテンツアイテムタグ、コンテンツアイテムとともに受信されたメタデータの少なくとも一部分、コンテンツアイテムについての無線データシステム（ＲＤＳ）情報、コンテンツガイドから取得された、コンテンツアイテムについての情報などを含み得る。
【００３８】
シーケンスステップ３１４において、生成されたブックマークを含む要求は第２のサービスプロバイダ３０４に送信される。一態様では、ＷＣＤ３０３は、ＣＤＭＡ、ＷＣＤＭＡ、ＴＤＭＡ、ＴＤ−ＳＣＤＭＡ、ＵＭＴＳ、ＩＰなどのプロトコルを使用して送信し得る。シーケンスステップ３１６において、第２のサービスプロバイダ３０４は、ＷＣＤ３０６からの付随のブックマークを含む要求を処理するとともに、第１のサービスプロバイダ３０４から受信したコンテンツ情報を同期させて、要求されたコンテンツアイテムを識別し、取得する。一態様では、コンテンツアイテムは、．ｗａｖファイルフォーマット、．ａａｃファイルフォーマット、．ｑｃｐファイルフォーマット、ＭＰ３ファイルフォーマットなどのフォーマットで取得され得る。一態様では、第２のサービスプロバイダ３０４が、要求されたコンテンツアイテムの位置を特定することができない場合、可能な代替コンテンツアイテム選択が取得され得る。そのような態様では、同様のジャンル、アーティスト名、またはアルバム名などからのコンテンツが、可能な代替物としてユーザに提示され得る。シーケンスステップ３１８において、取得されたコンテンツアイテムはＷＣＤ３０６に送信される。一態様では、取得されたコンテンツアイテムは、後続のアクセスのためにＷＣＤ３０６に記憶され得る。したがって、ＷＣＤ３０６は、ＷＣＤ３０６に関連付けられた情報を介して、第１のサービスプロバイダ３０２によって配信されたコンテンツアイテムを第２のサービスプロバイダ３０４から取得することが可能である。限定ではなく例として、ユーザは、モバイルデバイス３０６に関連付けられたＦＭ無線で曲をリッスンし得る。ユーザは、曲を取得するように選択した場合、モバイルデバイス３０６にＦＭ周波数番号およびタイムスタンプなどの情報をコンテンツサーバ（たとえば、第２のサービスプロバイダ３０４）に送信させることによって、同じ曲の音楽ファイル（たとえば、ＭＰ３ファイル）をダウンロードすることができる。コンテンツサーバは、番組スケジュールに基づいて、特定のＦＭ無線局上での選択された曲についての取得可能な情報を使用し得る。したがって、モバイルデバイス３０６からの要求を受信すると、コンテンツサーバは、番組スケジュールから曲名をフェッチし、コンテンツデータベース中で曲名を探索し、音楽ファイル（たとえば、ＭＰ３ファイル）をフェッチし、フェッチしたファイルをモバイルデバイス３０６に送信し得る。
【００３９】
図３Ｂを参照すると、上記で説明したように、シーケンスステップ３０８において、第１のサービスプロバイダ３０２が、コンテンツ配信スケジュールなどのコンテンツ情報を第２のサービスプロバイダ３０４と同期させ得る。シーケンスステップ３２０において、第１のサービスプロバイダ３０２はコンテンツを配信する。図示された態様では、そのコンテンツは２次デバイス３０５によって受信される。一態様では、２次デバイス３０５は、ユーザにとってアクセス可能である、カーステレオなどの無線プレーヤを含み得る。シーケンスステップ３２２において、第１のサービスプロバイダ３０２によって配信され、２次デバイス３０５によってアクセスされたコンテンツアイテムを聴取すると、ユーザは、配信されたコンテンツアイテムを取得するようにＷＣＤ３０６上で選択を行い得る。一態様では、ＷＣＤ３０６は、第１のサービスプロバイダによって配信されたコンテンツアイテムを取得するようにユーザが選択することを可能にする擬似無線アプリケーションなどを含み得る。そのような態様では、擬似無線アプリケーションは、要求されたコンテンツアイテムを十分に識別するための、ユーザおよび／またはＷＣＤ３０６からの情報を含むブックマークを生成し得る。その後、ＷＣＤ３０６は第２のサービスプロバイダ３０４にコンテンツアイテムを要求し得、シーケンスステップ３１４、３１６および３１８が、上記で説明したように実行され得る。限定ではなく例として、ユーザは、曲をリッスンし得るが、必ずしもモバイルデバイスを介して曲をリッスンしているわけではない。そのような場合、ユーザは、カーステレオなどのＦＭ無線機などの２次デバイスをリッスンしているときでも、依然として、モバイルアプリケーションにＦＭ周波数番号およびタイムスタンプなどのコンテンツ識別情報をコンテンツサーバ（たとえば第２のサービスプロバイダ３０４）に送信させることによって、同じ曲の音楽トラックのための音楽ファイル（たとえばＭＰ３ファイル）をダウンロードすることができる。コンテンツサーバは、番組スケジュールに基づいて、特定のＦＭ無線局上での選択された曲についての取得可能な情報を使用し得る。したがって、モバイルデバイス３０６からの要求を受信すると、コンテンツサーバは、番組スケジュールから曲名をフェッチし、コンテンツデータベース中で曲名を探索し、音楽ファイル（たとえば、ＭＰ３ファイル）をフェッチし、フェッチしたファイルをモバイルデバイス３０６に送信し得る。
【００４０】
次に図３Ｃを参照すると、シーケンスステップ３２４において、少なくとも、コンテンツガイドなどのコンテンツ配信スケジュールが、第１のサービスプロバイダ３０２から第２のサービスプロバイダ３０４に供給される。一態様では、コンテンツ配信スケジュールは、無線送信を介して第１のサービスプロバイダ３０２によって配信されたコンテンツについて記述している。さらに、図示された態様では、第２のサービスプロバイダ３０４への通信は、ストリーミング無線信号などを用いてＩＰフォーマットを介して第２のサービスプロバイダ３０４から配信するために第１のサービスプロバイダ３０２によって供給されたコンテンツを含み得る。シーケンスステップ３２６において、第２のサービスプロバイダ３０４はコンテンツを配信する。一態様では、その信号は、配信されているコンテンツを識別するコンテキスト情報を含む。たとえば、ストリーミング無線信号は、配信されたコンテンツアイテムを識別するＦＭ  ＲＤＳデータ、メタデータなどを含み得る。シーケンスステップ３２８において、ユーザは、配信されたコンテンツアイテムを取得するようにＷＣＤ３０６上で選択を行い得る。一態様では、ＷＣＤ３０６は、要求されたコンテンツアイテムを識別するためのブックマークを生成し得る。たとえば、ＷＣＤ３０６は、配信されたコンテンツアイテムに付随するコンテキスト情報を使用して、そのコンテンツアイテムを識別し得る。一態様では、要求されたコンテンツアイテム、ユーザ、および／またはデバイスをさらに識別するために、追加のユーザおよび／またはＷＣＤ３０６情報がブックマークに追加され得る。その後、ＷＣＤ３０６は第２のサービスプロバイダ３０４にコンテンツアイテムを要求し得、シーケンスステップ３１４、３１６および３１８が、上記で説明したように実行され得る。限定ではなく例として、ユーザは、無線で（ＯＴＡ）ダウンロードされた番組ガイドにモバイルデバイス上でアクセスし得る。ユーザは、番組ガイドにアクセスすることによって、特定の番組、イベントなどの、自動記録、ダウンロード、リマインダなどをスケジュールし得る。したがって、モバイルデバイスは、以前に配信された番組をダウンロードする、コンテンツサーバコンテンツデータベースおよび／またはオペレータカタログから曲などのコンテンツを購入する、ポッドキャストオーディオファイル、ビデオファイル、写真などをダウンロードする、特定の番組がスケジュールされているときにハンドセット上でリマインダを得る、など、１つまたは複数の選択されたタスクを実行し得る。
【００４１】
次に図３Ｄを参照すると、上記で説明したように、シーケンスステップ３０８において、第１のサービスプロバイダ３０２が、コンテンツ配信スケジュールなどのコンテンツ情報を第２のサービスプロバイダ３０４と同期させ得る。シーケンスステップ３３０において、第１のサービスプロバイダ３０２はコンテンツを配信する。図示された態様では、そのコンテンツは、ＦＭ  ＲＤＳデータなどの付随のコンテキスト情報とともに送信され、２次デバイス３０５によって受信され得る。一態様では、２次デバイス３０５は、ユーザにとってアクセス可能であるパーソナルナビゲーションデバイス（ＰＮＤ）などを含み得る。さらに、図示された例では、２次デバイス３０５は、第１のサービスプロバイダ３０２からのコンテンツの配信に付随し得るコンテキスト情報を受信することができることがある。たとえば、ＰＮＤは、ＦＭ  ＲＤＳ対応であり得、無線局からの曲の送信に付随するＦＭ  ＲＤＳデータを受信し得る。したがって、ＷＣＤがＦＭ  ＲＤＳ対応でない場合でも、ユーザは、ＰＮＤなどの付随の２次デバイスによって受信されたＦＭ  ＲＤＳデータを取得することが可能であり得る。シーケンスステップ３３２において、ユーザは、配信されたコンテンツアイテムを取得することを要求し得る。図示された態様では、その要求は２次デバイス３０５に対して行われ得る。追加または代替として、選択がＷＣＤ３０６に対して行われ得、その選択は、さらなる処理のために２次デバイス３０５に通信され得る。さらに、２次デバイス３０５は、コンテンツアイテムを識別するために、配信されたコンテンツアイテムに付随するコンテキスト情報を介して、要求されたコンテンツアイテムを識別し得る。さらに、要求されたコンテンツアイテム、ユーザ、および／または２次デバイスをさらに識別するために、追加のユーザおよび／または２次デバイス３０５情報がブックマークに対して取得され得る。シーケンスステップ３３４において、ユーザ選択はＷＣＤ３０６に送信され得る。一態様では、そのような送信は、ワイヤード接続またはワイヤレス接続のいずれかを介して実行され得る。たとえば、２次デバイス３０５は、限定はしないが、ＷｉＦｉ、Ｂｌｕｅｔｏｏｔｈ（登録商標）などの適用可能な送信プロトコルを使用して、無線でＷＣＤ３０６と通信し得る。さらに、ＷＣＤに供給されるコンテキスト情報は、タイムスタンプ、ＦＭ局番号などを含み得る。シーケンスステップ３３６において、ＷＣＤは、要求されたコンテンツアイテムを識別するためのブックマークを生成し得る。別の態様では、前記ブックマークは、２次デバイス３０５によって生成され、２次デバイス３０５から送信され得る。一態様では、要求されたコンテンツアイテム、ユーザ、および／またはデバイスをさらに識別するために、追加のユーザおよび／またはＷＣＤ３０６情報がブックマークに追加され得る。その後、ＷＣＤ３０６は第２のサービスプロバイダ３０４にコンテンツアイテムを要求し得、シーケンスステップ３１４、３１６および３１８が、上記で説明したように実行され得る。
【００４２】
次に図３Ｅを参照すると、シーケンスステップ３３８において、第１のサービスプロバイダ３０２がコンテンツをＷＣＤ３０６に配信する。シーケンスステップ３４０において、配信されたコンテンツを受信するためにＷＣＤ３０６上のアプリケーションが起動され得る。たとえば、配信されたコンテンツが、オーディオのみのＦＭ放送であるとき、ＷＣＤ３０６上のアプリケーションは起動し、そのＦＭ放送に同調し得る。シーケンスステップ３４２において、受信した信号から処理された情報に少なくとも基づいて、ＷＣＤ３０６は、受信したコンテンツアイテム、第１のサービスプロバイダなどに関連付けられた、追加のデータの要求を送信する。上記の例を続けると、追加のデータは、ダウンロード、記憶、再生などのために利用可能な考えられるコンテンツアイテム、および配信されたコンテンツ、第１のサービスプロバイダ、追加のコンテンツなどに関連付けられた表示を含み得る。
【００４３】
シーケンスステップ３４４において、少なくとも第１のサービスプロバイダに関連付けられたサーバなどが、要求された追加のコンテンツアイテムをフェッチし得る。たとえば、少なくとも第１のサービスプロバイダ３０２に関連付けられたサーバが、様々なＦＭ放送局の番組スケジュールデータをフェッチし得る。一態様では、そのサーバは、第１のサービスプロバイダ３０２のみに関連付けられ得る。別の態様では、そのサーバは、共有され、および／または複数のサービスプロバイダと通信し得る。たとえば、ＦＭ局は、そのＦＭ局によってホスティングされる１つまたは複数のサーバ（たとえばウェブサーバ）を介してコンテンツへのアクセスを与え得、および／または１つまたは複数のサーバは、様々なＦＭ局からそのようなコンテンツを集合し、そのような集合コンテンツをＷＣＤに与え得る、サードパーティなどの別の局によってホスティングされ得る。さらに、フェッチされたデータは、データベース中の対応する音楽、ピクチャ、トークショー、ブログ、コンテスト、対話型ボイス応答（ＩＶＲ）呼、ニュース記事、ビデオ、壁紙などについて、解析および／または探索され得る。
【００４４】
またさらに、そのようなフェッチされたコンテンツの少なくとも一部分は、シーケンスステップ３４２において要求時に、ＷＣＤ３０６に記憶され、ＷＣＤ３０６にとって利用可能になり得る。一態様では、その要求は、ＨＴＴＰ要求／応答コマンドなどのコンテンツに適切な要求／応答コンテンツを与え得る。一態様では、シーケンスステップ３４４において、フェッチされたコンテンツは、そのコンテンツをＷＣＤ３０６用に適切にフォーマットするためにさらに処理され得る。シーケンスステップ３４６において、要求された追加のコンテンツはＷＣＤ３０６に送信され得る。一態様では、その要求および／または送信は、限定はしないが、ＸＭＬ、ＪＳＯＮまたは他の同様のデータ交換言語などのフォーマットを使用して行われ得る。したがって、たとえば、新しいＦＭ局が将来確立される場合、そのような局は、ＷＣＤを更新および／またはアップグレードする必要なしに、あらかじめ定義された記述されたフォーマットのうちの１つを使用して、コンテンツをＷＣＤに供給し得る。別の態様では、第１のサービスプロバイダ３０２、ＷＣＤ３０６および／またはいずれかの関連付けられたサーバの間の、任意の要求および／または送信は、ＳＭＳ、ＭＭＳ、ＥＭＳなどのフォーマットを使用し得る。したがって、たとえば、ＷＣＤ上で特定のＦＭ局をリッスンしている間、ユーザは、その特定のＦＭ局によって与えられたコンテンツを受信し得、そのコンテンツは、ユーザが現在リッスンしているコンテンツに関係していることもあり、関係していないこともある。
【００４５】
一態様では、ＷＣＤ３０６は、さらに、１つまたは複数の追加の無線局および／または１つまたは複数のサーバなど、別のサービスプロバイダからの配信されたコンテンツを受信し得る。そのような態様では、シーケンスステップ３３８〜３４６は、ＷＣＤ３０６が同調され得る１つまたは複数の無線局の各々に関して実行され得る。
【００４６】
図１を依然として参照しながら、図４をも参照すると、ワイヤレス通信デバイス１１０の例示的なアーキテクチャが示されている。図４に示すように、ワイヤレス通信デバイス４００は、たとえば、受信アンテナ（図示せず）から信号を受信し、受信信号に対して典型的なアクション（たとえば、フィルタ処理、増幅、ダウンコンバートなど）を実行し、調整された信号をデジタル化してサンプルを取得する、受信機４０２を備える。受信機４０２は、受信されたシンボルを復調し、チャネル推定のためにプロセッサ４０６に供給することができる復調器４０４を備えることができる。プロセッサ４０６は、受信機４０２によって受信された情報の分析および／または送信機４２０による送信のための情報の生成に専用のプロセッサ、ワイヤレス通信デバイス４００の１つまたは複数の構成要素を制御するプロセッサ、ならびに／あるいは受信機４０２によって受信された情報の分析、送信機４２０による送信のための情報の生成、およびワイヤレス通信デバイス４００の１つまたは複数の構成要素の制御を行うプロセッサとすることができる。
【００４７】
ワイヤレス通信デバイス４００は、さらに、メモリ４０８を備えることができ、メモリ４０８は、プロセッサ４０６に動作可能に結合され、送信すべきデータ、受信されたデータ、利用可能なチャネルに関係する情報、分析された信号および／または干渉強度に関連付けられたデータ、割当てチャネル、電力、レートなどに関係する情報、ならびにチャネルを推定し、そのチャネルを介して通信するための他の適切な情報を記憶することができる。メモリ４０８は、さらに（たとえばパフォーマンスベース、容量ベースなどの）チャネルの推定および／または利用に関連付けられたプロトコルおよび／またはアルゴリズムを記憶することができる。一態様では、メモリ４０８は、限定はしないが、コンテンツアイテムのオーディオクリップキャプチャ、ＷＣＤロケーション識別子、タイムスタンプ、ユーザが入力したコンテンツアイテムタグ、コンテンツアイテムとともに受信されたメタデータの少なくとも一部分、コンテンツアイテムについての無線データシステム（ＲＤＳ）情報、コンテンツガイドから取得された、コンテンツアイテムについての情報などの、デバイス動作識別データ４１０を含むことができる。一態様では、メモリ４０８は、デバイス動作識別データ４１０をコンテンツアイテムに結合し得るブックマーク４１１を含むことができる。そのような態様では、ブックマークは、第１のコンテンツアイテムにリンクされたデータ、第１のコンテンツアイテムを定義するデータ、または第１のコンテンツアイテムへのリンクのうちの少なくとも１つを含み得る。さらに、そのような態様では、第１のコンテンツアイテムへのリンクは、さらに、ブックマークが、周期的になど、所定の時間間隔で、ユーザ選択時などに、更新されることを可能にするための、第１のコンテンツアイテムへのアクティブリンクを含み得る。またさらに、ブックマーク４１１は、探索可能なキーワードを用いてタグ付けされ、それに応じて記憶され得る。一態様では、メモリ４０８はコンテンツガイド４１２を含むことができ、コンテンツガイド４１２は、第１のサービスプロバイダ１３０などのサービスプロバイダから取得され得、第１のサービスプロバイダ１３０などのサービスプロバイダによって配信されたコンテンツアイテムに関連付けられた情報を与え得る。一態様では、コンテンツガイド４１２は、ＷＣＤ４００に結合された第２のコンピューティングデバイス、第１のサービスプロバイダ、第２のサービスプロバイダなどのいずれかから取得され得る。一態様では、コンテンツガイド４１２はブックマークモジュール４３２によってブックマークされ得る。
【００４８】
本明細書で説明するデータストア（たとえば、メモリ４０８）は、揮発性メモリまたは不揮発性メモリのいずれかとすることができ、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ４０８は、これらおよび他の適切なタイプのメモリを、これらに限定されることなく、備え得る。
【００４９】
ワイヤレス通信デバイス４００は、さらに、第１のサービスプロバイダ１３０などのサービスプロバイダによって配信されたコンテンツアイテムを取得および／または識別することを可能にするためのコンテンツモジュール４３０を含むことができる。コンテンツモジュール４３０は、さらに、コンテンツモジュール４３０が、第１のサービスプロバイダから受信した任意のコンテンツアイテムにＷＣＤ４００関係の属性を結合するのを支援するための、ブックマークモジュール４３２を備え得る。一態様では、ブックマークモジュールは、さらに、限定はしないが、コンテンツアイテムのオーディオクリップキャプチャ、ＷＣＤロケーション識別子、タイムスタンプ、ユーザが入力したコンテンツアイテムタグ、コンテンツアイテムとともに受信されたメタデータの少なくとも一部分、コンテンツアイテムについての無線データシステム（ＲＤＳ）情報、またはコンテンツガイドから取得された、コンテンツアイテムについての情報などの、デバイス識別特性を取得するためのデバイス動作識別モジュール４３４を含み得る。コンテンツモジュール４３０は、さらに、ＦＭ局、ＡＭ局、衛星無線局などの第１のサービスプロバイダからの信号にアクセスすることを可能にするための無線アクセスモジュール４３２を備え得る。
【００５０】
一態様では、コンテンツモジュール４３０は、さらに、無線で再生された曲などのコンテンツアイテムを取得するためのユーザなどによる選択を識別するためのコンテンツアイテム要求４３４を備え得る。一態様では、コンテンツアイテム要求４３４は、ＷＣＤ４００が、要求されたコンテンツアイテムを判断するのを支援するために、デバイス動作識別モジュール４３４３を介してデバイス動作識別データ４１０に結合され得る。さらに、コンテンツモジュール４３０は、要求されたコンテンツアイテムを識別し、その位置を特定するために、セルラーネットワークサービスプロバイダ、インターネットサービスプロバイダなど、第２のサービスプロバイダにコンテンツアイテム要求４３８を送信することをさらに可能にし得る。たとえば、ＷＣＤ４００は、無線局（第１のサービスプロバイダ）再生リストにアクセスできるインターネットベースのサービスプロバイダ（第２のサービスプロバイダ）にコンテンツアイテム要求４３８を送信し得る。そのような例示的な態様では、付随のデバイス動作識別データにより、インターネットベースのサービスプロバイダは、無線局によって再生された曲であって、ＷＣＤ４００によって要求された曲を識別できるようになり得る。
【００５１】
さらに、ワイヤレス通信デバイス４００はユーザインターフェース４４０を含み得る。ユーザインターフェース４４０は、通信デバイス４００への入力を生成するための入力機構４４２と、通信デバイス４００のユーザよって消費される情報を生成するための出力機構４４２とを含み得る。たとえば、入力機構４４２は、キーまたはキーボード、マウス、タッチスクリーンディスプレイ、マイクロフォンなどの機構を含み得る。さらに、たとえば、出力機構４４４は、ディスプレイ、オーディオスピーカー、触覚フィードバック機構、パーソナルエリアネットワーク（ＰＡＮ）トランシーバなどを含み得る。図示された態様では、出力機構４４４は、画像またはビデオフォーマットのメディアコンテンツを提示するように動作可能なディスプレイ、あるいはオーディオフォーマットのメディアコンテンツを提示するオーディオスピーカーを含み得る。
【００５２】
動作中、ワイヤレス通信デバイス４００は、受信機４０２を介して、第１のサービスプロバイダによって配信されたコンテンツアイテム信号を受信し得る。さらに、そのような態様では、受信機４０２は、限定はしないが、周波数変調（ＦＭ）フォーマット、または振幅変調（ＡＭ）フォーマット、または衛星無線フォーマット、またはインターネットプロトコル（ＩＰ）フォーマットなどのフォーマットを使用して受信していることがある。さらに、そのような態様では、無線アクセスモジュール５３６が受信信号を処理し得る。さらに、動作中、コンテンツモジュール４３０は、受信機４０２によって復元されたコンテンツアイテムまたはコンテンツアイテムのバージョンへのアクセスを取得したいというコンテンツアイテム要求４３８を生成し得る。さらに、一態様では、要求コンテンツアイテム４３８を識別および取得するのを支援するために、ブックマークモジュール４３２は、コンテンツアイテム要求４３８に少なくとも１つのデバイス動作識別データアイテム４１０をリンクし得る。一態様では、コンテンツアイテム要求４３８を生成すると、ワイヤレス通信デバイス４００は、送信機４２０を介してコンテンツアイテム要求４２０を第２のサービスプロバイダサーバに送信し得る。一態様では、たとえば、送信機４２０は、ＣＤＭＡ、ＷＣＤＭＡ、ＴＤＭＡ、ＴＤ−ＳＣＤＭＡ、ＵＭＴＳ、ＩＰなどのプロトコルを使用して送信し得る。その後、取得されたコンテンツアイテムは、メモリ４０８への記憶、アクセスなどのためにワイヤレス通信デバイス４００に送信され得る。
【００５３】
したがって、ワイヤレス通信デバイス４００は、要求されたコンテンツアイテム４３８をインターネットベースのサービスプロバイダなどの第２のサービスプロバイダ１４０が識別することを可能にするためにワイヤレス通信デバイス４００を十分に識別するデータを与えることにより、無線局などの第１のサービスプロバイダによって配信された要求されたコンテンツアイテム４３８を取得し得る。
【００５４】
図５を参照すると、図１に示す第１のサービスプロバイダサーバ１３０および／または第２のサービスプロバイダサーバ１４０など、サービスプロバイダシステム５００の詳細ブロック図が示されている。サービスプロバイダシステム５００は、任意のタイプのハードウェア、サーバ、パーソナルコンピュータ、ミニコンピュータ、メインフレームコンピュータ、あるいは専用または汎用いずれかの任意のコンピューティングデバイスのうちの少なくとも１つを備え得る。さらに、本明細書において、サービスプロバイダシステム５００上で動作するものとして、またはサービスプロバイダシステム５００によって実行されるものとして説明するモジュールおよびアプリケーションは、図５に示すように単一のネットワークデバイス上で完全に実行され得、あるいは、代替的に、他の態様では、別個のサーバ、データベースまたはコンピュータデバイスが協調して動作して、使用可能なフォーマットのデータを当事者に提供し得、および／または通信デバイス１１０とサービスプロバイダシステム５００によって実行されるモジュールおよびアプリケーションとの間のデータフローにおける別個の制御層を提供し得る。
【００５５】
サービスプロバイダシステム５００は、ワイヤードネットワークおよびワイヤレスネットワーク上でデータを送信および受信することができ、ルーチンおよびアプリケーションを実行することができる、コンピュータプラットフォーム５０２を含む。コンピュータプラットフォーム５０２は、読取り専用および／またはランダムアクセスメモリ（ＲＯＭおよびＲＡＭ）、ＥＰＲＯＭ、ＥＥＰＲＯＭ、フラッシュカード、またはコンピュータプラットフォームに共通したいずれかのメモリなどの揮発性および不揮発性メモリを備え得るメモリ５０４を含む。さらに、メモリ５０４は、１つまたは複数のフラッシュメモリセルを含むか、あるいは磁気媒体、光学媒体、テープ、またはソフトもしくはハードディスクなど、２次または３次記憶デバイスであり得る。さらに、コンピュータプラットフォーム５０２は、特定用途向け集積回路（「ＡＳＩＣ」）、または他のチップセット、論理回路、または他のデータ処理デバイスであり得るプロセッサ５３０をも含む。プロセッサ５３０は、メディアコンテンツ配信システム１４の機能と、ワイヤードネットワークまたはワイヤレスネットワーク上でのネットワークデバイスの動作とを可能にする、ハードウェア、ファームウェア、ソフトウェア、およびそれらの組合せで実施される様々な処理サブシステム５３２を含み得る。
【００５６】
コンピュータプラットフォーム５０２は、サービスプロバイダシステム５００の様々な構成要素間の通信、およびサービスプロバイダシステム５００、デバイス１１０、サービスプロバイダサーバ１３０、１４０の間の通信を可能にする、ハードウェア、ファームウェア、ソフトウェア、およびそれらの組合せで実施される通信モジュール５５０をさらに含む。通信モジュール５５０は、ワイヤレス通信接続を確立するための必要なハードウェア、ファームウェア、ソフトウェア、および／またはそれらの組合せを含み得る。説明する態様によれば、通信モジュール５５０は、要求されたコンテンツアイテム、コンテンツガイドなどのワイヤレスブロードキャスト、マルチキャストおよび／またはユニキャスト通信を可能にするために必要なハードウェア、ファームウェアおよび／またはソフトウェアを含み得る。
【００５７】
コンピュータプラットフォーム５０２は、ハードウェア、ファームウェア、ソフトウェア、およびそれらの組合せにおいて実施され、特にデバイス１１０および／またはデータ識別デバイス１１０から通信されたデータに対応する、デバイス１１０から受信されたメトリクスを可能にする、メトリクスモジュール５４０をさらに含む。一態様では、サービスプロバイダシステム５００は、メトリクスモジュール５４０を介して受信したデータを分析して、デバイス１１０への将来の配信のために利用可能な考えられるコンテンツを変更し得る。たとえば、メトリクスモジュールが、特定のジャンルの音楽のオーディオファイルをユーザが積極的に求めていることを示すデータを返した場合、サービスプロバイダシステム５００は、求められているジャンル５１２と同様のコンテンツを提案し得る。別の態様では、要求されたコンテンツアイテムが利用不可能であると仮定すると、メトリクスモジュール５４０は、提案された関係するコンテンツアイテムを与えるのを支援し得る。
【００５８】
サービスプロバイダシステム５００のメモリ５０４は、ブックマーク５２４に結合されたＷＣＤコンテンツアイテム要求５２２を処理するように動作可能なコンテンツモジュール５１０を含む。一態様では、ブックマーク５２４は、第１のコンテンツアイテムにリンクされたデータ、第１のコンテンツアイテムを定義するデータ、または第１のコンテンツアイテムへのリンクのうちの少なくとも１つを含み得る。さらに、そのような態様では、第１のコンテンツアイテムへのリンクは、さらに、ブックマークが、周期的になど、所定の時間間隔で、ユーザ選択時などに、更新されることを可能にするための、第１のコンテンツアイテムへのアクティブリンクを含み得る。またさらに、ブックマーク５２４は、探索可能なキーワードを用いてタグ付けされ、それに応じて記憶され得る。一態様では、コンテンツモジュール５１０は、第１のサービスプロバイダコンテンツアイテムデータ５１２と第１のサービスプロバイダコンテンツガイド５１４とを含み得る。一態様では、コンテンツガイド５１４はブックマークされ得る。第１のサービスプロバイダコンテンツアイテムデータ５１２は、コンテンツモジュール５１０が、ＷＣＤコンテンツアイテム要求５２２を要求されたコンテンツアイテムに整合させることを可能にする、ＦＭ  ＲＤＳデータなどの情報を含み得る。一態様では、第１のサービスプロバイダコンテンツアイテムデータ５１２は、第１のサービスプロバイダコンテンツガイド５１４に結合され、および／または第１のサービスプロバイダコンテンツガイド５１４によって編成され得る。そのような態様では、ＷＣＤコンテンツアイテム要求５２２は、第１のサービスプロバイダコンテンツガイド５１４中のエントリへの参照を含み得、それにより、ＷＣＤによって要求されたコンテンツアイテムは、第１のサービスプロバイダに関連付けられたコンテンツアイテムと結合される。コンテンツモジュール５１０は、要求されたコンテンツアイテムをネットワーク１２０上のＷＣＤに送出することが可能な、ユニキャスト送出、ブロードキャスト送出、マルチキャスト送出、あるいは他の知られているまたは将来知られるワイヤレス送出機構を提供し得る。ブックマーク５２４に結合された各ＷＣＤコンテンツアイテム要求５２２は、メトリクスモジュール５４０がアプリケーション関係のデータを分析するのを支援する際に有用な情報を含み得る。
【００５９】
動作中、たとえば、デバイス１１０は、デバイス１１０上のコンテンツモジュールを介してコンテンツアイテム（たとえば、オーディオファイル）を要求し得る。そのような要求には、別のサービスプロバイダから受信した情報（たとえば、無線局からのＲＤＳデータ）にそのような要求を結合する少なくとも１つのＷＣＤ動作識別アイテムが付随し得る。この要求はサービスプロバイダシステム５００によって処理され得る。コンテンツアイテム（たとえばオーディオファイル）を取得すると、サービスプロバイダシステム５００は、そのコンテンツアイテムを要求元デバイスに送信し得る。そのような要求の処理中に、サービスプロバイダサーバは、デバイス１１０に関係する情報、要求されたコンテンツアイテム（たとえば、オーディオファイル）などを記憶し得る。そのような情報は、他のデバイスから取得された情報とともに、メトリクスモジュール５４０によって分析され得、曲の人気、曲が再生された回数などの結果が導出され得る。
【００６０】
図６を参照すると、ワイヤレス通信デバイスに配信されるコンテンツを取得することができる例示的なシステム６００のブロック図が示されている。たとえば、システム６００は、少なくとも部分的にワイヤレスデバイス内に常駐することができる。別の例示的な態様によれば、システム６００は、少なくとも部分的にアクセス端末内に常駐することができる。システム６００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム６００は、連携して動作することができる手段の論理グルーピング６０２を含む。たとえば、論理グルーピング６０２は、第１のサービスプロバイダによって配信されたコンテンツアイテムをワイヤレス通信デバイス（ＷＣＤ）によって受信するための手段６０４を含むことができる。一態様では、コンテンツ受信アプリケーションが、ユーザ選択によって、または上記コンテンツアイテムを受信することに応答して自動的に、開始され得る。別の態様では、上記コンテンツアイテムは、コンテンツアイテムをブロードキャストすること、またはマルチキャストすること、またはユニキャストすることのうちの少なくとも１つによって配信される。さらに別の態様では、上記第１のコンテンツアイテムは、周波数変調（ＦＭ）フォーマット、振幅変調（ＡＭ）フォーマット、衛星無線フォーマット、またはインターネットプロトコル（ＩＰ）フォーマットのうちの少なくとも１つを含むフォーマットを使用して受信され得る。
【００６１】
さらに、論理グルーピング６０２は、上記第１のコンテンツアイテムに少なくとも１つのＷＣＤ動作識別アイテムを結合するブックマークを取得するための手段６０６を備えることができる。たとえば、上記デバイス動作識別アイテムは、上記第１のコンテンツアイテムのオーディオクリップキャプチャ、ＷＣＤロケーション識別子、タイムスタンプ、ユーザが入力した第１のコンテンツアイテムタグ、上記第１のコンテンツアイテムとともに受信されたメタデータの少なくとも一部分、上記コンテンツアイテムについての無線データシステム（ＲＤＳ）情報、またはコンテンツガイドから取得された、上記第１のコンテンツアイテムについての情報のうちの少なくとも１つを含み得る。一態様では、上記ブックマークは上記ＷＣＤによって生成され得る。別の態様では、上記ブックマークは別のコンピューティングデバイスおよび／またはサーバから受信され得る。さらに、論理グルーピング６０２は、上記ブックマークに結合されたコンテンツアイテム要求を上記ＷＣＤから第２のサービスプロバイダに送信するための手段６０８を備えることができる。たとえば、上記要求は、ＣＤＭＡ、ＷＣＤＭＡ、ＴＤＭＡ、ＴＤ−ＳＣＤＭＡ、ＵＭＴＳ、ＩＰなどのプロトコルを使用してネットワーク上で送信され得る。さらに、論理グルーピング６０２は、上記送信されたコンテンツアイテム要求と上記ブックマークとを介して上記第１のコンテンツアイテムに関連付けられた第２のコンテンツアイテムを上記第２のサービスプロバイダから受信するための手段６１０を備えることができる。したがって、ワイヤレス通信デバイスは、第１のサービスプロバイダによって配信されたコンテンツアイテムに関連付けられたコンテキスト情報を介して第２のサービスプロバイダを介してコンテンツアイテムを取得し得、ただし、ワイヤレス通信デバイスはコンテキスト情報を直接処理しないことがある。さらに、システム６００は、手段６０４、６０６、６０８および６１０に関連付けられた機能を実行するための命令を保持するメモリ６１２を含むことができる。メモリ６１２の外部にあるものとして図示されているが、手段６０４、６０６、６０８および６１０のうちの１つまたは複数はメモリ６１２の内部に存在することができることを理解されたい。
【００６２】
図７を参照すると、ワイヤレス通信デバイスへのコンテンツの配信を可能にすることができる例示的なシステム７００のブロック図が示されている。たとえば、システム７００は、少なくとも部分的にワイヤレスデバイス内に常駐することができる。別の例示的な態様によれば、システム７００は、少なくとも部分的にアクセス端末内に常駐することができる。システム７００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム７００は、連携して動作することができる手段の論理グルーピング７０２を含む。たとえば、論理グルーピング７０２は、第１のサービスプロバイダによって配信された第１のコンテンツアイテムを上記第１のサービスプロバイダから受信するための手段７０４を含むことができる。一態様では、第１のフォーマットは、周波数変調（ＦＭ）フォーマット、振幅変調（ＡＭ）フォーマット、衛星無線フォーマット、またはインターネットプロトコル（ＩＰ）フォーマットのうちの少なくとも１つを含み得る。別の態様では、上記第１のサービスプロバイダは、追加または代替として、上記コンテンツアイテムに結合された情報を含むコンテンツガイドを与え得る。さらに、論理グルーピング７０２は、上記第１のコンテンツアイテムに少なくとも１つのワイヤレス通信デバイス（ＷＣＤ）動作識別アイテムを結合するブックマークを含むコンテンツアイテム要求をＷＣＤから受信するための手段７０６を備えることができる。一態様では、上記少なくとも１つのＷＣＤ動作識別アイテムは、上記コンテンツアイテムのオーディオクリップキャプチャ、ＷＣＤロケーション識別子、タイムスタンプ、ユーザが入力したコンテンツアイテムタグ、上記コンテンツアイテムとともに受信されたメタデータの少なくとも一部分、上記コンテンツアイテムについての無線データシステム（ＲＤＳ）情報、またはコンテンツガイドから取得された、上記コンテンツアイテムについての情報などを含み得る。別の態様では、上記の例を続けると、コンテンツガイドからの選択を介してコンテンツアイテムの選択としての要求が受信され得る。さらに、論理グルーピング７０２は、上記ＷＣＤから受信した上記ブックマークとともに上記第１のコンテンツアイテムを処理することによって上記コンテンツアイテムが利用可能であるかどうかを判断するための手段７０８を備えることができる。一態様では、上記コンテンツアイテムが利用不可能であると判断されると、少なくとも１つの関係するコンテンツアイテムについてのオプションが取得され得る。そのような態様では、上記少なくとも１つの関係するコンテンツアイテムは、上記要求されたコンテンツアイテムと共通するジャンル、アーティスト名、またはアルバム名のうちの少なくとも１つを用いて１つまたは複数のコンテンツアイテムを選択することによって判断され得る。さらに、論理グルーピング７０２は、上記コンテンツアイテムが利用可能であると判断されると、上記送信されたコンテンツアイテム要求と上記ブックマークとを介して上記第１のコンテンツアイテムに関連付けられた第２のコンテンツアイテムを取得するための手段７１０を備えることができる。たとえば、第２のフォーマットは、．ｗａｖファイルフォーマット、．ａａｃファイルフォーマット、．ｑｃｐファイルフォーマット、またはＭＰ３ファイルフォーマットのうちの少なくとも１つを含み得る。さらに、論理グルーピング７０２は、上記取得された第２のコンテンツアイテムを上記要求元ＷＣＤに送信するための手段７１２を備えることができる。一態様では、上記コンテンツアイテムは、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢなどを備えるプロトコルのグループから選択されたプロトコルを使用してネットワーク上で送信され得る。したがって、第２のサービスプロバイダサーバは、第１のサービスプロバイダからワイヤレスデバイスに配信されたコンテンツに関連付けられた情報から、コンテンツアイテムの要求を処理し得る。さらに、システム７００は、手段７０４、７０６、７０８、７１０および７１２に関連付けられた機能を実行するための命令を保持するメモリ７１４を含むことができる。メモリ７１４の外部にあるものとして図示されているが、手段７０４、７０６、７０８、７１０および７１２のうちの１つまたは複数はメモリ７１４の内部に存在することができることを理解されたい。
【００６３】
図８を参照すると、一態様による多元接続ワイヤレス通信システムが示されている。アクセスポイント８００（ＡＰ）は複数のアンテナグループを含み、あるアンテナグループは８０４と８０６とを含み、別のアンテナグループは８０８と８１０とを含み、追加のアンテナグループは８１２と８１４とを含む。図８では、アンテナグループごとに２つのアンテナのみが示されているが、アンテナグループごとにより多いまたはより少ないアンテナが利用され得る。アクセス端末８１６（ＡＴ）はアンテナ８１２および８１４と通信中であり、アンテナ８１２および８１４は、順方向リンク８２０上でアクセス端末８１６に情報を送信し、逆方向リンク８１８上でアクセス端末８１６から情報を受信する。アクセス端末８２２はアンテナ８０６および８０８と通信中であり、アンテナ８０６および８０８は、順方向リンク８２６上でアクセス端末８２２に情報を送信し、逆方向リンク８２４上でアクセス端末８２２から情報を受信する。ＦＤＤシステムでは、通信リンク８１８、８２０、８２４および８２６は、通信のための異なる周波数を使用し得る。たとえば、順方向リンク８２０は、逆方向リンク８１８によって使用される周波数とは異なる周波数を使用し得る。
【００６４】
アンテナの各グループ、および／またはアンテナが通信するように設計されたエリアは、しばしば、アクセスポイントのセクタと呼ばれる。本態様では、アンテナグループはそれぞれ、アクセスポイント８００によってカバーされるエリアのセクタ内でアクセス端末に通信するように設計される。
【００６５】
順方向リンク８２０および８２６上の通信では、アクセスポイント８００の送信アンテナは、異なるアクセス端末８１６および８２４に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００６６】
アクセスポイントは、端末との通信に使用される固定局でもよく、アクセスポイント、ノードＢ、または何らかの他の用語で呼ばれることもある。アクセス端末は、アクセス端末、ユーザ機器（ＵＥ）、ワイヤレス通信デバイス、端末、アクセス端末または何らかの他の用語で呼ばれることもある。
【００６７】
図９を参照すると、ＭＩＭＯシステム９００における（アクセスポイントとしても知られる）送信機システム９１０および（アクセス端末としても知られる）受信機システム９５０の一態様のブロック図が示されている。送信機システム９１０では、いくつかのデータストリームのトラフィックデータがデータソース９１２から送信（ＴＸ）データプロセッサ９１４に供給される。
【００６８】
一態様では、各データストリームは、それぞれの送信アンテナを介して送信される。ＴＸデータプロセッサ９１４は、符号化データを与えるために、各データストリームのトラフィックデータを、そのデータストリーム用に選択された特定の符号化方式に基づいてフォーマットし、符号化し、インターリーブする。
【００６９】
各データストリームの符号化データは、ＯＦＤＭ技法を使用してパイロットデータで多重化され得る。パイロットデータは、典型的には、知られている方法で処理される知られているデータパターンであり、チャネル応答を推定するために受信機システムにおいて使用され得る。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）される。各データストリームのデータレート、符号化、および変調は、プロセッサ９３０によって実行される命令によって決定され得る。
【００７０】
次いで、すべてのデータストリームの変調シンボルがＴＸ  ＭＩＭＯプロセッサ９２０に供給され、ＴＸ  ＭＩＭＯプロセッサ９２０はさらに（たとえば、ＯＦＤＭ用に）その変調シンボルを処理し得る。次いで、ＴＸ  ＭＩＭＯプロセッサ９２０は、ＮT個の変調シンボルストリームをＮT個の送信機（ＴＭＴＲ）９２２ａ〜９２２ｔに供給する。いくつかの態様では、ＴＸ  ＭＩＭＯプロセッサ９２０は、データストリームのシンボルと、シンボルの送信元のアンテナとにビームフォーミング重みを適用する。
【００７１】
各送信機９２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機９２２ａ〜９２２ｔからのＮT個の変調信号は、それぞれ、ＮT個のアンテナ９２４ａ〜９２４ｔから送信される。
【００７２】
受信機システム９５０では、送信された変調信号はＮR個のアンテナ９５２ａ〜９５２ｒによって受信され、各アンテナ９５２からの受信信号は、それぞれの受信機（ＲＣＶＲ）９５４ａ〜９５４ｒに供給される。各受信機９５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００７３】
次いで、ＲＸデータプロセッサ９６０は、特定の受信機処理技法に基づいてＮR個の受信機９５４からＮR個の受信シンボルストリームを受信し、処理して、ＮT個の「検出」シンボルストリームを与える。次いで、ＲＸデータプロセッサ９６０は、各検出シンボルストリームを復調し、デインターリーブし、復号して、データストリームのトラフィックデータを復元する。ＲＸデータプロセッサ９６０による処理は、送信機システム９１０におけるＴＸ  ＭＩＭＯプロセッサ９２０およびＴＸデータプロセッサ９１４によって実行される処理を補足するものである。
【００７４】
プロセッサ９７０は、どのプリコーディング行列を使用すべきかを周期的に判断する（後述）。プロセッサ９７０は、行列インデックス部とランク値部とを備える逆方向リンクメッセージを作成する。
【００７５】
逆方向リンクメッセージは、通信リンクおよび／または受信データストリームに関する様々なタイプの情報を備え得る。次いで、逆方向リンクメッセージは、データソース９３６からいくつかのデータストリームのトラフィックデータをも受信するＴＸデータプロセッサ９３８によって処理され、変調器９８０によって変調され、送信機９５４ａ〜９５４ｒによって調整され、送信機システム９１０に戻される。
【００７６】
送信機システム９１０では、受信機システム９５０からの変調信号は、アンテナ９２４によって受信され、受信機９２２によって調整され、復調器９４０によって復調され、受信機システム９５０によって送信された逆方向リンクメッセージを抽出するためにＲＸデータプロセッサ９４２によって処理される。次いで、プロセッサ９３０は、ビームフォーミング重みを判断するためにどのプリコーディング行列を使用すべきかを判断し、次いで、抽出されたメッセージを処理する。
【００７７】
一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１つまたは複数のＭＴＣＨについてのマルチメディアブロードキャストおよびマルチキャストサービス（ＭＢＭＳ）のスケジューリングおよび制御情報を送信するために使用されるポイントツーマルチポイントＤＬチャネルであるマルチキャスト制御チャネル（ＭＣＣＨ）。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（ＤＣＣＨ）は、専用制御情報を送信するポイントツーポイント双方向チャネルであり、ＲＲＣ接続を有するＵＥによって使用される。一態様では、論理トラフィックチャネルは、ユーザ情報を転送するための１つのＵＥに専用のポイントツーポイント双方向チャネルである専用トラフィックチャネル（ＤＴＣＨ）を備える。また、トラフィックデータを送信するためのポイントツーマルチポイントＤＬチャネルのためのマルチキャストトラフィックチャネル（ＭＴＣＨ）。
【００７８】
一態様では、トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ＵＥ節電（ＤＲＸサイクルがネットワークによってＵＥに示される）をサポートするためのページングチャネル（ＰＣＨ）とを備え、これらのチャネルは、セル全体にわたってブロードキャストされ、他の制御／トラフィックチャネル用に使用され得るＰＨＹリソースにマッピングされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。ＰＨＹチャネルは、ＤＬチャネルとＵＬチャネルとのセットを備える。
【００７９】
ＤＬ  ＰＨＹチャネルは以下を備え得る。
【００８０】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
肯定応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
ＵＬ  ＰＨＹチャネルは以下を備える。
【００８１】
物理ランダムアクセスチャネル（ＰＲＡＣＨ）
チャネル品質インジケータチャネル（ＣＱＩＣＨ）
肯定応答チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
一態様では、シングルキャリア波形の（所与の時間に、チャネルが周波数において連続するまたは一様に離間される）ＰＡＲ特性を低いまま保つチャネル構造を提供する。
【００８２】
本文書では、以下の略語を適用することがある。
【００８３】
ＡＭ            確認型モード
ＡＭＤ          確認型モードデータ
ＡＲＱ          Ａｕｔｏｍａｔｉｃ  Ｒｅｐｅａｔ  Ｒｅｑｕｅｓｔ
ＢＣＣＨ        ブロードキャスト制御チャネル
ＢＣＨ          ブロードキャストチャネル
Ｃ−            制御−
ＣＣＣＨ        共通制御チャネル
ＣＣＨ          制御チャネル
ＣＣＴｒＣＨ    符号化複合トランスポートチャネル
ＣＰ            巡回プレフィックス
ＣＲＣ          巡回冗長検査
ＣＴＣＨ        共通トラフィックチャネル
ＤＣＣＨ        専用制御チャネル
ＤＣＨ          専用チャネル
ＤＬ            ダウンリンク
ＤＳＣＨ        ダウンリンク共有チャネル
ＤＴＣＨ        専用トラフィックチャネル
ＦＡＣＨ        順方向リンクアクセスチャネル
ＦＤＤ          周波数分割複信
Ｌ１            Ｌａｙｅｒ１（物理層）
Ｌ２            Ｌａｙｅｒ２（データリンク層）
Ｌ３            Ｌａｙｅｒ３（ネットワーク層）
ＬＩ            長さインジケータ
ＬＳＢ          最下位ビット
ＭＡＣ          媒体アクセス制御
ＭＢＭＳ        マルチメディアブロードキャストマルチキャストサービス
ＭＣＣＨ        ＭＢＭＳポイントツーマルチポイント制御チャネル
ＭＲＷ          移動受信ウィンドウ
ＭＳＢ          最上位ビット
ＭＳＣＨ        ＭＢＭＳポイントツーマルチポイントスケジューリングチャネル
ＭＴＣＨ        ＭＢＭＳポイントツーマルチポイントトラフィックチャネル
ＰＣＣＨ        ページング制御チャネル
ＰＣＨ          ページングチャネル
ＰＤＵ          プロトコルデータユニット
ＰＨＹ          物理層
ＰｈｙＣＨ      物理チャネル
ＲＡＣＨ        ランダムアクセスチャネル
ＲＬＣ          無線リンク制御
ＲＲＣ          無線リソース制御
ＳＡＰ          サービスアクセスポイント
ＳＤＵ          サービスデータユニット
ＳＨＣＣＨ      共有チャネル制御チャネル
ＳＮ            シーケンス番号
ＳＵＦＩ        スーパーフィールド
ＴＣＨ          トラフィックチャネル
ＴＤＤ          時分割複信
ＴＦＩ          トランスポートフォーマットインジケータ
ＴＭ            透過型モード
ＴＭＤ          透過型モードデータ
ＴＴＩ          送信時間間隔
Ｕ−            ユーザ−
ＵＥ            ユーザ機器
ＵＬ            アップリンク
ＵＭ            確認なしモード
ＵＭＤ          確認なしモードデータ
ＵＭＴＳ        Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡ        ＵＭＴＳ  Ｔｅｒｒｅｓｔｒｉａｌ  Ｒａｄｉｏ  Ａｃｃｅｓｓ
ＵＴＲＡＮ      ＵＭＴＳ  Ｔｅｒｒｅｓｔｒｉａｌ  Ｒａｄｉｏ  Ａｃｃｅｓｓ  Ｎｅｔｗｏｒｋ
ＭＢＳＦＮ      マルチキャストブロードキャスト単一周波数ネットワーク
ＭＣＥ          ＭＢＭＳ調整エンティティ
ＭＣＨ          マルチキャストチャネル
ＤＬ−ＳＣＨ    ダウンリンク共有チャネル
ＭＳＣＨ        ＭＢＭＳ制御チャネル
ＰＤＣＣＨ      物理ダウンリンク制御チャネル
ＰＤＳＣＨ      物理ダウンリンク共有チャネル
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関係のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散し得る。さらに、これらの構成要素は、様々なデータ構造を記憶している様々なコンピュータ可読媒体から実行することができる。これらの構成要素は、ローカルシステム、分散システム中の別の構成要素と対話する、および／または信号を介して他のシステムとインターネットなどのネットワーク上で対話する１つの構成要素からのデータなど、１つまたは複数のデータパケットを有する信号などによってローカルプロセスおよび／またはリモートプロセスを介して通信し得る。
【００８４】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、または何らかの他の用語で呼ばれることもある。
【００８５】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００８６】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨおよび任意の他の短距離または長距離ワイヤレス通信技法をしばしば使用するピアツーピア（たとえば、モバイルツーモバイル）アドホックネットワークシステムをさらに含み得る。
【００８７】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００８８】
本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションの１つまたは複数を実行するように動作可能な１つまたは複数のモジュールを備え得る。
【００８９】
さらに、本明細書で開示した態様に関して説明した方法またはアルゴリズムのステップおよび／またはアクションは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末内に個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【００９０】
１つまたは複数の態様では、説明した機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００９１】
上記の開示は例示的な態様および／または態様について論じたが、添付の特許請求の範囲によって定義された、説明した態様および／または態様の範囲から逸脱することなく、様々な変更および修正を本明細書で行うことができることに留意されたい。さらに、説明した態様および／または態様の要素が単数形で説明または請求されていることがあるが、単数形に限定することが明示的に述べられていない限り、複数形が企図される。さらに、態様および／または態様の全部または一部は、別段の記述がない限り、他の態様および／または態様の全部または一部とともに利用され得る。
【図１】
2014017827.tif 000003
【図２】
2014017827.tif 000004
【図３Ａ】
2014017827.tif 000005
【図３Ｂ】
2014017827.tif 000006
【図３Ｃ】
2014017827.tif 000007
【図３Ｄ】
2014017827.tif 000008
【図３Ｅ】
2014017827.tif 000009
【図４】
2014017827.tif 000010
【図５】
2014017827.tif 000011
【図６】
2014017827.tif 000012
【図７】
2014017827.tif 000013
【図８】
2014017827.tif 000014
【図９】
2014017827.tif 000015
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
ワイヤレス通信デバイスに配信されるコンテンツを取得するための方法であって、前記方法は、
第１のサービスプロバイダによって配信された第１のコンテンツアイテムを、無線ブロードキャストデータシステム（ＲＢＤＳ）／無線データシステム（ＲＤＳ）非対応のワイヤレス通信デバイス（ＷＣＤ）によって受信することと、
前記第１のコンテンツアイテムに少なくとも１つのＷＣＤ動作識別アイテムを結合するブックマークであって、第２のコンピューティングデバイスによって生成されたブックマークを取得することと、
前記ブックマークに結合された第２のコンテンツアイテム要求を、前記ＲＢＤＳ／ＲＤＳ非対応のＷＣＤから第２のサービスプロバイダに送信することと、
前記送信された第２のコンテンツアイテム要求と前記ブックマークとを介して前記第１のコンテンツアイテムに関連付けられた第２のコンテンツアイテムを前記第２のサービスプロバイダから受信することと
を備える、方法。
【請求項２】
ユーザ選択によって、または前記第１のコンテンツアイテムに関連付けられた少なくともデータを受信することに応答して自動的に、前記ＷＣＤ上でコンテンツ受信アプリケーションを開始すること
をさらに備える、請求項１に記載の方法。
【請求項３】
前記第２のコンテンツアイテムを前記ＷＣＤに記憶することと、
リアルタイムでストリーミングされたデータとしての前記第２のコンテンツアイテムにアクセスすること、または前記ＷＣＤのストレージからの前記第２のコンテンツアイテムにアクセスすることのいずれかによって、前記第２のコンテンツアイテムにアクセスすることと
をさらに備える、請求項１に記載の方法。
【請求項４】
前記コンテンツアイテムが、ブロードキャストすること、またはマルチキャストすること、またはユニキャストすることのうちの少なくとも１つによって配信される、請求項１に記載の方法。
【請求項５】
前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、またはＸＭ無線フォーマットのうちの少なくとも１つを含むフォーマットを介して配信される、請求項１に記載の方法。
【請求項６】
前記第１のコンテンツアイテムを取得したいという要求を受信すること
をさらに備え、
前記要求を前記受信することが、前記ＷＣＤへのユーザ選択を介して前記要求を受信すること、または前記ＷＣＤに通信可能に結合された前記第２のコンピューティングデバイスから前記要求を受信することのいずれかをさらに備え、前記第２のコンピューティングデバイスが、前記第１のコンテンツアイテムにアクセスでき、前記第１のコンテンツアイテムを要求するユーザ選択を受信する、請求項１に記載の方法。
【請求項７】
前記コンテンツアイテムに結合された情報を含むコンテンツガイドを受信することと、
前記第１のコンテンツアイテムを取得したいという要求を受信することと
をさらに備え、
要求を前記受信することが、前記コンテンツガイドからの選択を介して前記コンテンツアイテムの選択を受信することをさらに備える、請求項１に記載の方法。
【請求項８】
前記コンテンツガイドに結合されたブックマークを生成すること
をさらに備える、請求項７に記載の方法。
【請求項９】
前記第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、請求項１に記載の方法。
【請求項１０】
前記第１のサービスプロバイダからアクセス可能な少なくとも１つの追加のコンテンツアイテムを選択することと、
前記選択を前記第１のサービスプロバイダに送信することと、
前記送信された選択に関連付けられた少なくとも第３のコンテンツアイテムを前記第１のサービスプロバイダから受信することと
をさらに備える、請求項９に記載の方法。
【請求項１１】
前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、請求項１０に記載の方法。
【請求項１２】
前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、請求項１に記載の方法。
【請求項１３】
前記デバイス動作識別アイテムは、前記第１のコンテンツアイテムのオーディオクリップキャプチャ、またはＷＣＤロケーション識別子、またはタイムスタンプ、またはユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、請求項１に記載の方法。
【請求項１４】
前記送信することが、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記第２のコンテンツアイテム要求と前記ブックマークとを送信することをさらに備える、請求項１に記載の方法。
【請求項１５】
前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、請求項１に記載の方法。
【請求項１６】
前記第１のコンテンツアイテムへの前記リンクは、前記ブックマークが所定の時間間隔で更新されることを可能にするための、前記第１のコンテンツアイテムへのアクティブリンクをさらに含む、請求項１５に記載の方法。
【請求項１７】
前記ブックマークを第３のデバイスに送信することであって、前記ブックマークは、前記第３のデバイスが前記第１のコンテンツアイテムにアクセスすることを可能にする、送信すること
をさらに備える、請求項１に記載の方法。
【請求項１８】
探索可能なキーワード構造を用いて前記ブックマークをタグ付けすることと、
前記探索可能なキーワード構造を介してアクセス可能であるように前記ブックマークを記憶することと
をさらに備える、請求項１に記載の方法。
【請求項１９】
前記第１のサービスプロバイダが無線局であり、前記第２のサービスプロバイダがセルラーネットワークサービスプロバイダである、請求項１に記載の方法。
【請求項２０】
前記第１のサービスプロバイダが無線局であり、前記第２のサービスプロバイダがインターネットサービスプロバイダである、請求項１に記載の方法。
【請求項２１】
前記第１のサービスプロバイダが第１のインターネットサービスプロバイダであり、前記第２のサービスプロバイダが第２のインターネットサービスプロバイダである、請求項１に記載の方法。
【請求項２２】
前記第１のサービスプロバイダが第１の無線局であり、前記第２のサービスプロバイダが、前記第１の無線局を含む１つまたは複数の無線局に関連付けられたウェブサーバである、請求項１に記載の方法。
【請求項２３】
ワイヤレス通信デバイスに配信されるコンテンツを取得するように構成された少なくとも１つのプロセッサであって、
第１のサービスプロバイダによって配信されたコンテンツアイテムを、無線ブロードキャストデータシステム（ＲＢＤＳ）／無線データシステム（ＲＤＳ）非対応のワイヤレス通信デバイス（ＷＣＤ）によって受信するための第１のモジュールと、
前記第１のコンテンツアイテムに少なくとも１つのＷＣＤ動作識別アイテムを結合するブックマークであって、第２のコンピューティングデバイスによって生成されたブックマークを取得するための第２のモジュールと、
前記ブックマークに結合された第２のコンテンツアイテム要求を、前記ＲＢＤＳ／ＲＤＳ非対応のＷＣＤから第２のサービスプロバイダに送信するための第３のモジュールと、
前記送信された第２のコンテンツアイテム要求と前記ブックマークとを介して前記第１のコンテンツアイテムに関連付けられた第２のコンテンツアイテムを前記第２のサービスプロバイダから受信するための第４のモジュールと
を備える、プロセッサ。
【請求項２４】
第１のサービスプロバイダによって配信された第１のコンテンツアイテムを、無線ブロードキャストデータシステム（ＲＢＤＳ）／無線データシステム（ＲＤＳ）非対応のワイヤレス通信デバイス（ＷＣＤ）によって受信することを、コンピュータに行わせるための第１のコードセットと、
前記第１のコンテンツアイテムに少なくとも１つのＷＣＤ動作識別アイテムを結合するブックマークであって、第２のコンピューティングデバイスによって生成されたブックマークを前記ＷＣＤによって取得することを、前記コンピュータに行わせるための第２のコードセットと、
前記ブックマークに結合された第２のコンテンツアイテム要求を、前記ＲＢＤＳ／ＲＤＳ非対応のＷＣＤから第２のサービスプロバイダに送信することを、前記コンピュータに行わせるための第３のコードセットと、
前記送信された第２のコンテンツアイテム要求と前記ブックマークとを介して前記第１のコンテンツアイテムに関連付けられた第２のコンテンツアイテムを前記第２のサービスプロバイダから受信することを、前記コンピュータに行わせるための第４のコードセットと
を備える、コンピュータプログラム。
【請求項２５】
第１のサービスプロバイダによって配信されたコンテンツアイテムを、無線ブロードキャストデータシステム（ＲＢＤＳ）／無線データシステム（ＲＤＳ）非対応のワイヤレス通信デバイス（ＷＣＤ）によって受信するための手段と、
前記第１のコンテンツアイテムに少なくとも１つのＷＣＤ動作識別アイテムを結合するブックマークであって、第２のコンピューティングデバイスによって生成されたブックマークを取得するための手段と、
前記ブックマークに結合された第２のコンテンツアイテム要求を、前記ＲＢＤＳ／ＲＤＳ非対応のＷＣＤから第２のサービスプロバイダに送信するための手段と、
前記送信された第２のコンテンツアイテム要求と前記ブックマークとを介して前記第１のコンテンツアイテムに関連付けられた第２のコンテンツアイテムを前記第２のサービスプロバイダから受信するための手段と
を備える、装置。
【請求項２６】
第１のサービスプロバイダによって配信された第１のコンテンツアイテムを、無線ブロードキャストデータシステム（ＲＢＤＳ）／無線データシステム（ＲＤＳ）非対応のワイヤレス通信デバイス（ＷＣＤ）によって受信すること
を行うための受信機と、
前記第１のコンテンツアイテムに少なくとも１つのＷＣＤ動作識別アイテムを結合するブックマークであって、第２のコンピューティングデバイスによって生成されたブックマークを取得すること
を行うためのコンテンツモジュールと、
前記ブックマークに結合された第２のコンテンツアイテム要求を、前記ＲＢＤＳ／ＲＤＳ非対応のＷＣＤから第２のサービスプロバイダに送信すること
を行うための送信機と
を備え、
前記受信機が、
前記送信された第２のコンテンツアイテム要求と前記ブックマークとを介して前記第１のコンテンツアイテムに関連付けられた第２のコンテンツアイテムを前記第２のサービスプロバイダから受信すること
を行うようにさらに動作可能である、
装置。
【請求項２７】
前記コンテンツモジュールは、
ユーザ選択によって、または前記受信機が前記第１のコンテンツアイテムを受信することに応答して自動的に、前記ＷＣＤ上でコンテンツ受信アプリケーションを開始すること
を行うようにさらに動作可能である、請求項２６に記載の装置。
【請求項２８】
前記第２のコンテンツアイテムを前記ＷＣＤに記憶すること
を行うための記憶モジュール
をさらに備え、
前記コンテンツモジュールが、
リアルタイムでストリーミングされたデータとしての前記第２のコンテンツアイテムにアクセスすること、または前記ＷＣＤのストレージからの前記第２のコンテンツアイテムにアクセスすることのいずれかによって、前記第２のコンテンツアイテムにアクセスすること
を行うようにさらに動作可能である、請求項２６に記載の装置。
【請求項２９】
前記コンテンツアイテムが、ブロードキャストすること、またはマルチキャストすること、またはユニキャストすることのうちの少なくとも１つによって配信される、請求項２６に記載の装置。
【請求項３０】
前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、ＸＭ無線フォーマットのうちの少なくとも１つを含むフォーマットを介して配信される、請求項２６に記載の装置。
【請求項３１】
前記受信機が、前記第１のコンテンツアイテムを取得したいという要求を受信することを行うようにさらに動作可能であり、
前記要求を前記受信することが、前記ＷＣＤへのユーザ選択を介して前記要求を受信すること、または前記ＷＣＤに通信可能に結合された前記第２のコンピューティングデバイスから前記要求を受信することのいずれかをさらに備え、前記第２のコンピューティングデバイスが、前記第１のコンテンツアイテムにアクセスでき、前記第１のコンテンツアイテムを要求するユーザ選択を受信する、請求項２６に記載の装置。
【請求項３２】
前記受信機が、
前記コンテンツアイテムに結合された情報を含むコンテンツガイドを受信することと、
前記コンテンツガイドからの選択を介した前記コンテンツアイテムの選択を介して前記第１のコンテンツアイテムを取得したいという要求を受信することと
を行うようにさらに動作可能である、請求項２６に記載の装置。
【請求項３３】
前記コンテンツモジュールが、
前記コンテンツガイドに結合されたブックマークを生成すること
を行うようにさらに動作可能である、請求項３２に記載の装置。
【請求項３４】
前記第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、請求項２６に記載の装置。
【請求項３５】
前記コンテンツモジュールが、前記第１のサービスプロバイダからアクセス可能な少なくとも１つの追加のコンテンツアイテムを選択することを行うようにさらに動作可能であり、
前記送信機が、前記選択を前記第１のサービスプロバイダに送信することを行うようにさらに動作可能であり、
前記受信機が、前記送信された選択に関連付けられた少なくとも第３のコンテンツアイテムを前記第１のサービスプロバイダから受信することを行うようにさらに動作可能である、請求項３４に記載の装置。
【請求項３６】
前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、請求項３４に記載の装置。
【請求項３７】
前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、請求項２６に記載の装置。
【請求項３８】
前記デバイス動作識別アイテムは、前記第１のコンテンツアイテムのオーディオクリップキャプチャ、またはＷＣＤロケーション識別子、またはタイムスタンプ、またはユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、請求項２６に記載の装置。
【請求項３９】
前記送信機が、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記第２のコンテンツアイテム要求と前記ブックマークとを送信することを行うようにさらに動作可能である、請求項２６に記載の装置。
【請求項４０】
前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、請求項２６に記載の装置。
【請求項４１】
前記第１のコンテンツアイテムへの前記リンクは、前記ブックマークが所定の時間間隔で更新されることを可能にするための、前記第１のコンテンツアイテムへのアクティブリンクをさらに含む、請求項４０に記載の装置。
【請求項４２】
前記送信機は、
前記ブックマークを第３のデバイスに送信することであって、前記ブックマークは、前記第３のデバイスが前記第１のコンテンツアイテムにアクセスすることを可能にする、送信すること
を行うようにさらに動作可能である、請求項２６に記載の装置。
【請求項４３】
前記コンテンツモジュールが、
探索可能なキーワード構造を用いて前記ブックマークをタグ付けすることと、
前記探索可能なキーワード構造を介してアクセス可能であるように前記ブックマークを記憶することと
を行うようにさらに動作可能である、請求項２６に記載の装置。
【請求項４４】
前記第１のサービスプロバイダが無線局であり、前記第２のサービスプロバイダがセルラーネットワークサービスプロバイダである、請求項２６に記載の装置。
【請求項４５】
前記第１のサービスプロバイダが無線局であり、前記第２のサービスプロバイダがインターネットサービスプロバイダである、請求項２６に記載の装置。
【請求項４６】
前記第１のサービスプロバイダが第１のインターネットサービスプロバイダであり、前記第２のサービスプロバイダが第２のインターネットサービスプロバイダである、請求項２６に記載の装置。
【請求項４７】
前記第１のサービスプロバイダが第１の無線局であり、前記第２のサービスプロバイダが、前記第１の無線局を含む１つまたは複数の無線局に関連付けられたウェブサーバである、請求項２６に記載の装置。
【請求項４８】
ワイヤレス通信デバイスへのコンテンツの配信を可能にするための方法であって、前記方法は、
第１のサービスプロバイダによって配信された第１のコンテンツアイテムを前記第１のサービスプロバイダから受信することと、
前記第１のコンテンツアイテムに少なくとも１つのワイヤレス通信デバイス（ＷＣＤ）動作識別アイテムを結合するブックマークであって、第２のコンピューティングデバイスによって生成されたブックマークを含む第２のコンテンツアイテム要求を、無線ブロードキャストデータシステム（ＲＢＤＳ）／無線データシステム（ＲＤＳ）非対応のＷＣＤから受信することと、
前記ＷＣＤから受信した前記ブックマークとともに前記第１のコンテンツアイテムを処理することによってコンテンツアイテムが利用可能であるかどうかを判断することと、
前記のコンテンツアイテムが利用可能であると判断されると、前記送信された第２のコンテンツアイテム要求と前記ブックマークとを介して前記第１のコンテンツアイテムに関連付けられた前記第２のコンテンツアイテムを取得することと、
前記取得された第２のコンテンツアイテムを前記要求元ＷＣＤに送信することと
を備える、方法。
【請求項４９】
前記コンテンツアイテムが利用不可能であると判断されると、少なくとも１つの関係するコンテンツアイテムについての１つまたは複数のオプションを取得することと、
少なくとも１つの関係するコンテンツアイテムについての前記１つまたは複数のオプションを送信することと
をさらに備える、請求項４８に記載の方法。
【請求項５０】
少なくとも１つの関係するコンテンツアイテムについての前記１つまたは複数のオプションが、前記第２のコンテンツアイテム要求と共通するジャンル、またはアーティスト名、またはアルバム名のうちの少なくとも１つを用いて１つまたは複数のコンテンツアイテムを選択することによって判断される、請求項４９に記載の方法。
【請求項５１】
前記第１のコンテンツアイテムに結合された情報を含むコンテンツガイドを前記第１のサービスプロバイダから受信すること
をさらに備え、
要求を前記受信することが、前記コンテンツガイドからの選択を介して前記コンテンツアイテムの選択を受信することをさらに備える、請求項４８に記載の方法。
【請求項５２】
取得された第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、請求項４８に記載の方法。
【請求項５３】
追加の第１のサービスプロバイダコンテンツの選択を前記ＷＣＤから受信することと、
前記選択された追加の第１のサービスプロバイダコンテンツに関連付けられた第３のコンテンツアイテムを前記ＷＣＤに送信することと
をさらに備える、請求項５２に記載の方法。
【請求項５４】
前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、請求項５２に記載の方法。
【請求項５５】
前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、ＸＭ無線フォーマットのうちの少なくとも１つを含むフォーマットを介して配信される、請求項４８に記載の方法。
【請求項５６】
前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、請求項４８に記載の方法。
【請求項５７】
前記デバイス動作識別アイテムは、前記第１のコンテンツアイテムのオーディオクリップキャプチャ、またはＷＣＤロケーション識別子、またはタイムスタンプ、ユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、請求項４８に記載の方法。
【請求項５８】
前記送信することが、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記取得された第２のコンテンツアイテムを送信することをさらに備える、請求項４８に記載の方法。
【請求項５９】
前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、請求項４８に記載の方法。
【請求項６０】
前記第１のコンテンツアイテムへの前記リンクは、前記ブックマークが所定の時間間隔で更新されることを可能にするための、前記第１のコンテンツアイテムへのアクティブリンクをさらに含む、請求項５９に記載の方法。
【請求項６１】
探索可能なキーワード構造を用いて前記ブックマークをタグ付けすることと、
前記探索可能なキーワード構造を介してアクセス可能であるように前記ブックマークを記憶することと
をさらに備える、請求項４８に記載の方法。
【請求項６２】
前記第１のサービスプロバイダが、無線局またはインターネットサービスプロバイダのいずれかである、請求項４８に記載の方法。
【請求項６３】
前記第１のサービスプロバイダが第１の無線局であり、前記第２のコンテンツアイテムが、前記第１の無線局を含む１つまたは複数の無線局に関連付けられたウェブサーバを介して取得される、請求項４８に記載の方法。
【請求項６４】
ワイヤレス通信デバイスへのコンテンツの配信を可能にするように構成された少なくとも１つのプロセッサであって、
第１のサービスプロバイダによって配信された第１のコンテンツアイテムを前記第１のサービスプロバイダから受信するための第１のモジュールと、
前記第１のコンテンツアイテムに少なくとも１つのワイヤレス通信デバイス（ＷＣＤ）動作識別アイテムを結合するブックマークであって、第２のコンピューティングデバイスによって生成されたブックマークを含む第２のコンテンツアイテム要求を、無線ブロードキャストデータシステム（ＲＢＤＳ）／無線データシステム（ＲＤＳ）非対応のＷＣＤから受信するための第２のモジュールと、
前記ＷＣＤから受信した前記ブックマークとともに前記第１のコンテンツアイテムを処理することによってコンテンツアイテムが利用可能であるかどうかを判断するための第３のモジュールと、
前記送信された第２のコンテンツアイテム要求と前記ブックマークとを介して前記第１のコンテンツアイテムに関連付けられた第２のコンテンツアイテムが利用可能であると判断されると、前記コンテンツアイテムを取得するための第４のモジュールと、
前記取得された第２のコンテンツアイテムを前記要求元ＷＣＤに送信するための第５のモジュールと
を備える、プロセッサ。
【請求項６５】
第１のサービスプロバイダによって配信された第１のコンテンツアイテムを前記第１のサービスプロバイダから受信することをコンピュータに行わせるための第１のコードセットと、
前記第１のコンテンツアイテムに少なくとも１つのワイヤレス通信デバイス（ＷＣＤ）動作識別アイテムを結合するブックマークであって、第２のコンピューティングデバイスによって生成されたブックマークを含む第２のコンテンツアイテム要求を、無線ブロードキャストデータシステム（ＲＢＤＳ）／無線データシステム（ＲＤＳ）非対応のＷＣＤから受信することを前記コンピュータに行わせるための第２のコードセットと、
前記ＷＣＤから受信した前記ブックマークとともに前記第１のコンテンツアイテムを処理することによってコンテンツアイテムが利用可能であるかどうかを判断することを前記コンピュータに行わせるための第３のコードセットと、
前記送信された第２のコンテンツアイテム要求と前記ブックマークとを介して前記第１のコンテンツアイテムに関連付けられた第２のコンテンツアイテムが利用可能であると判断されると、前記コンテンツアイテムを取得することを前記コンピュータに行わせるための第４のコードセットと、
前記取得された第２のコンテンツアイテムを前記要求元ＷＣＤに送信することを前記コンピュータに行わせるための第５のコードセットと
を備える、コンピュータプログラム。
【請求項６６】
第１のサービスプロバイダによって配信された第１のコンテンツアイテムを前記第１のサービスプロバイダから受信するための手段と、
前記第１のコンテンツアイテムに少なくとも１つのワイヤレス通信デバイス（ＷＣＤ）動作識別アイテムを結合するブックマークであって、第２のコンピューティングデバイスによって生成されたブックマークを含む第２のコンテンツアイテム要求を、無線ブロードキャストデータシステム（ＲＢＤＳ）／無線データシステム（ＲＤＳ）非対応のＷＣＤから受信するための手段と、
前記ＷＣＤから受信した前記ブックマークとともに前記第１のコンテンツアイテムを処理することによってコンテンツアイテムが利用可能であるかどうかを判断するための手段と、
前記コンテンツアイテムが利用可能であると判断されると、前記送信された第２のコンテンツアイテム要求と前記ブックマークとを介して前記第１のコンテンツアイテムに関連付けられた第２のコンテンツアイテムを取得するための手段と、
前記取得された第２のコンテンツアイテムを前記要求元ＷＣＤに送信するための手段と
を備える、装置。
【請求項６７】
第１のフォーマットを使用して第１のサービスプロバイダによって配信された第１のコンテンツアイテムを前記第１のサービスプロバイダから受信することと、
前記第１のコンテンツアイテムに少なくとも１つのワイヤレス通信デバイス（ＷＣＤ）動作識別アイテムを結合するブックマークであって、第２のコンピューティングデバイスによって生成されたブックマークを含む第２のコンテンツアイテム要求を、無線ブロードキャストデータシステム（ＲＢＤＳ）／無線データシステム（ＲＤＳ）非対応のＷＣＤから受信することと
を行うための受信機と、
前記ＷＣＤから受信した前記ブックマークとともに前記第１のコンテンツアイテムを処理することによってコンテンツアイテムが利用可能であるかどうかを判断することと、
前記コンテンツアイテムが利用可能であると判断されると、前記送信された第２のコンテンツアイテム要求と前記ブックマークとを介して前記第１のコンテンツアイテムに関連付けられた第２のコンテンツアイテムを取得することと
を行うためのコンテンツモジュールと、
前記取得された第２のコンテンツアイテムを前記要求元ＷＣＤに送信すること
を行うための送信機と
を備える、装置。
【請求項６８】
前記コンテンツモジュールは、
前記第２のコンテンツアイテムが利用不可能であると判断されると、少なくとも１つの関係するコンテンツアイテムについての１つまたは複数のオプションを取得すること
を行うようにさらに動作可能であり、
前記送信機が、少なくとも１つの関係するコンテンツアイテムについての前記１つまたは複数のオプションを送信することを行うようにさらに動作可能である、請求項７０に記載の装置。
【請求項６９】
少なくとも１つの関係するコンテンツアイテムについての前記１つまたは複数のオプションが、前記第２のコンテンツアイテム要求と共通するジャンル、またはアーティスト名、またはアルバム名のうちの少なくとも１つを用いて１つまたは複数のコンテンツアイテムを選択することによって判断される、請求項６８に記載の装置。
【請求項７０】
前記受信機が、
前記第１のコンテンツアイテムに結合された情報を含むコンテンツガイドを前記第１のサービスプロバイダから受信すること
を行うようにさらに動作可能であり、
前記受信機が、前記コンテンツガイドからの選択を介して前記コンテンツアイテムの選択を受信することを行うようにさらに動作可能である、請求項６７に記載の装置。
【請求項７１】
取得された第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、請求項６７に記載の装置。
【請求項７２】
前記受信機が、追加の第１のサービスプロバイダコンテンツの選択を前記ＷＣＤから受信することを行うようにさらに動作可能であり、
前記送信機が、前記選択された追加の第１のサービスプロバイダコンテンツに関連付けられた第３のコンテンツアイテムを前記ＷＣＤに送信することを行うようにさらに動作可能である、請求項７１に記載の装置。
【請求項７３】
前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、請求項７１に記載の装置。
【請求項７４】
前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、ＸＭ無線フォーマットのうちの少なくとも１つを含むフォーマットを介して配信される、請求項６７に記載の装置。
【請求項７５】
前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、請求項６７に記載の装置。
【請求項７６】
前記デバイス動作識別アイテムは、前記第１のコンテンツアイテムのオーディオクリップキャプチャ、またはＷＣＤロケーション識別子、またはタイムスタンプ、ユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、請求項６７に記載の装置。
【請求項７７】
前記送信機が、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記取得されたコンテンツアイテムを送信することを行うようにさらに動作可能である、請求項６７に記載の装置。
【請求項７８】
前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、請求項６７に記載の装置。
【請求項７９】
前記第１のコンテンツアイテムへの前記リンクは、前記ブックマークが所定の時間間隔で更新されることを可能にするための、前記第１のコンテンツアイテムへのアクティブリンクをさらに含む、請求項７８に記載の装置。
【請求項８０】
前記コンテンツモジュールが、
探索可能なキーワード構造を用いて前記ブックマークをタグ付けすることと、
前記探索可能なキーワード構造を介してアクセス可能であるように前記ブックマークを記憶することと
を行うようにさらに動作可能である、請求項６７に記載の装置。
【請求項８１】
前記第１のサービスプロバイダが、無線局またはインターネットサービスプロバイダのいずれかである、請求項６７に記載の装置。
【請求項８２】
前記第１のサービスプロバイダが第１の無線局であり、前記第２のコンテンツアイテムが、前記第１の無線局を含む１つまたは複数の無線局に関連付けられたウェブサーバを介して取得される、請求項６７に記載の装置。
【手続補正２】
【補正対象書類名】明細書
【補正対象項目名】００９１
【補正方法】変更
【補正の内容】
【００９１】
上記の開示は例示的な態様および／または態様について論じたが、添付の特許請求の範囲によって定義された、説明した態様および／または態様の範囲から逸脱することなく、様々な変更および修正を本明細書で行うことができることに留意されたい。さらに、説明した態様および／または態様の要素が単数形で説明または請求されていることがあるが、単数形に限定することが明示的に述べられていない限り、複数形が企図される。さらに、態様および／または態様の全部または一部は、別段の記述がない限り、他の態様および／または態様の全部または一部とともに利用され得る。
なお、以下に、出願当初の特許請求の範囲に記載された発明を付記する。
［Ｃ１］ワイヤレス通信デバイスに配信されるコンテンツを取得するための方法であって、前記方法は、
第１のサービスプロバイダによって配信された第１のコンテンツアイテムをワイヤレス通信デバイス（ＷＣＤ）によって受信することと、
前記第１のコンテンツアイテムに少なくとも１つのＷＣＤ動作識別アイテムを結合するブックマークを取得することと、
前記ブックマークに結合されたコンテンツアイテム要求を前記ＷＣＤから第２のサービスプロバイダに送信することと、
前記送信されたコンテンツアイテム要求と前記ブックマークとを介して前記第１のコンテンツアイテムに関連付けられた第２のコンテンツアイテムを前記第２のサービスプロバイダから受信することと
を備える、方法。
［Ｃ２］ユーザ選択によって、または前記第１のコンテンツアイテムに関連付けられた少なくともデータを受信することに応答して自動的に、前記ＷＣＤ上でコンテンツ受信アプリケーションを開始すること
をさらに備える、Ｃ１に記載の方法。
［Ｃ３］前記第２のコンテンツアイテムを前記ＷＣＤに記憶することと、
リアルタイムでストリーミングされたデータとしての前記第２のコンテンツアイテムにアクセスすること、または前記ＷＣＤのストレージからの前記第２のコンテンツアイテムにアクセスすることのいずれかによって、前記第２のコンテンツアイテムにアクセスすることと
をさらに備える、Ｃ１に記載の方法。
［Ｃ４］前記コンテンツアイテムが、ブロードキャストすること、またはマルチキャストすること、またはユニキャストすることのうちの少なくとも１つによって配信される、Ｃ１に記載の方法。
［Ｃ５］前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、またはＸＭ無線フォーマットのうちの少なくとも１つを含むフォーマットを介して配信される、Ｃ１に記載の方法。
［Ｃ６］前記第１のコンテンツアイテムを取得したいという要求を受信すること
をさらに備え、
前記要求を前記受信することが、前記ＷＣＤへのユーザ選択を介して前記要求を受信すること、または前記ＷＣＤに通信可能に結合された第２のコンピューティングデバイスから前記要求を受信することのいずれかをさらに備え、前記第２のコンピューティングデバイスが、前記第１のコンテンツアイテムにアクセスでき、前記第１のコンテンツアイテムを要求するユーザ選択を受信する、Ｃ１に記載の方法。
［Ｃ７］ブックマークを前記取得することが、
前記ＷＣＤによってブックマークを生成すること、または
第２のコンピューティングデバイスによって生成されたブックマークを受信すること
のうちの少なくとも１つをさらに備える、Ｃ１に記載の方法。
［Ｃ８］前記コンテンツアイテムに結合された情報を含むコンテンツガイドを受信することと、
前記第１のコンテンツアイテムを取得したいという要求を受信することと
をさらに備え、
要求を前記受信することが、前記コンテンツガイドからの選択を介して前記コンテンツアイテムの選択を受信することをさらに備える、Ｃ１に記載の方法。
［Ｃ９］前記コンテンツガイドに結合されたブックマークを生成すること
をさらに備える、Ｃ８に記載の方法。
［Ｃ１０］前記第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、Ｃ１に記載の方法。
［Ｃ１１］前記第１のサービスプロバイダからアクセス可能な少なくとも１つの追加のコンテンツアイテムを選択することと、
前記選択を前記第１のサービスプロバイダに送信することと、
前記送信された選択に関連付けられた少なくとも第３のコンテンツアイテムを前記第１のサービスプロバイダから受信することと
をさらに備える、Ｃ１０に記載の方法。
［Ｃ１２］前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、Ｃ１０に記載の方法。
［Ｃ１３］前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、Ｃ１に記載の方法。
［Ｃ１４］前記デバイス動作識別アイテムは、前記第１のコンテンツアイテムのオーディオクリップキャプチャ、またはＷＣＤロケーション識別子、またはタイムスタンプ、またはユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、Ｃ１に記載の方法。
［Ｃ１５］前記送信することが、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記コンテンツアイテム要求と前記ブックマークとを送信することをさらに備える、Ｃ１に記載の方法。
［Ｃ１６］前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、Ｃ１に記載の方法。
［Ｃ１７］前記第１のコンテンツアイテムへの前記リンクは、前記ブックマークが所定の時間間隔で更新されることを可能にするための、前記第１のコンテンツアイテムへのアクティブリンクをさらに含む、Ｃ１６に記載の方法。
［Ｃ１８］前記ブックマークを第３のデバイスに送信することであって、前記ブックマークは、前記第３のデバイスが前記第１のコンテンツアイテムにアクセスすることを可能にする、送信すること
をさらに備える、Ｃ１に記載の方法。
［Ｃ１９］探索可能なキーワード構造を用いて前記ブックマークをタグ付けすることと、
前記探索可能なキーワード構造を介してアクセス可能であるように前記ブックマークを記憶することと
をさらに備える、Ｃ１に記載の方法。
［Ｃ２０］前記第１のサービスプロバイダが無線局であり、前記第２のサービスプロバイダがセルラーネットワークサービスプロバイダである、Ｃ１に記載の方法。
［Ｃ２１］前記第１のサービスプロバイダが無線局であり、前記第２のサービスプロバイダがインターネットサービスプロバイダである、Ｃ１に記載の方法。
［Ｃ２２］前記第１のサービスプロバイダが第１のインターネットサービスプロバイダであり、前記第２のサービスプロバイダが第２のインターネットサービスプロバイダである、Ｃ１に記載の方法。
［Ｃ２３］前記第１のサービスプロバイダが第１の無線局であり、前記第２のサービスプロバイダが、前記第１の無線局を含む１つまたは複数の無線局に関連付けられたウェブサーバである、Ｃ１に記載の方法。
［Ｃ２４］ワイヤレス通信デバイスに配信されるコンテンツを取得するように構成された少なくとも１つのプロセッサであって、
第１のサービスプロバイダによって配信されたコンテンツアイテムをワイヤレス通信デバイス（ＷＣＤ）によって受信するための第１のモジュールと、
前記第１のコンテンツアイテムに少なくとも１つのＷＣＤ動作識別アイテムを結合するブックマークを取得するための第２のモジュールと、
前記ブックマークに結合されたコンテンツアイテム要求を前記ＷＣＤから第２のサービスプロバイダに送信するための第３のモジュールと、
前記送信されたコンテンツアイテム要求と前記ブックマークとを介して前記第１のコンテンツアイテムに関連付けられた第２のコンテンツアイテムを前記第２のサービスプロバイダから受信するための第４のモジュールと
を備える、プロセッサ。
［Ｃ２５］第１のサービスプロバイダによって配信された第１のコンテンツアイテムをワイヤレス通信デバイス（ＷＣＤ）によって受信することをコンピュータに行わせるための第１のコードセットと、
前記第１のコンテンツアイテムに少なくとも１つのＷＣＤ動作識別アイテムを結合するブックマークを前記ＷＣＤによって生成することを前記コンピュータに行わせるための第２のコードセットと、
前記ブックマークに結合されたコンテンツアイテム要求を前記ＷＣＤから第２のサービスプロバイダに送信することを前記コンピュータに行わせるための第３のコードセットと、
前記送信されたコンテンツアイテム要求と前記ブックマークとを介して前記第１のコンテンツアイテムに関連付けられた第２のコンテンツアイテムを前記第２のサービスプロバイダから受信することを前記コンピュータに行わせるための第４のコードセットと
を備えるコンピュータ可読媒体
を備える、コンピュータプログラム製品。
［Ｃ２６］第１のサービスプロバイダによって配信されたコンテンツアイテムをワイヤレス通信デバイス（ＷＣＤ）によって受信するための手段と、
前記第１のコンテンツアイテムに少なくとも１つのＷＣＤ動作識別アイテムを結合するブックマークを取得するための手段と、
前記ブックマークに結合されたコンテンツアイテム要求を前記ＷＣＤから第２のサービスプロバイダに送信するための手段と、
前記送信されたコンテンツアイテム要求と前記ブックマークとを介して前記第１のコンテンツアイテムに関連付けられた第２のコンテンツアイテムを前記第２のサービスプロバイダから受信するための手段と
を備える、装置。
［Ｃ２７］第１のサービスプロバイダによって配信された第１のコンテンツアイテムをワイヤレス通信デバイス（ＷＣＤ）によって受信すること
を行うための受信機と、
前記第１のコンテンツアイテムに少なくとも１つのＷＣＤ動作識別アイテムを結合するブックマークを取得すること
を行うためのコンテンツモジュールと、
前記ブックマークに結合されたコンテンツアイテム要求を前記ＷＣＤから第２のサービスプロバイダに送信すること
を行うための送信機と
を備え、
前記受信機が、
前記送信されたコンテンツアイテム要求と前記ブックマークとを介して前記第１のコンテンツアイテムに関連付けられた第２のコンテンツアイテムを前記第２のサービスプロバイダから受信すること
を行うようにさらに動作可能である、
装置。
［Ｃ２８］前記コンテンツモジュールは、
ユーザ選択によって、または前記受信機が前記第１のコンテンツアイテムを受信することに応答して自動的に、前記ＷＣＤ上でコンテンツ受信アプリケーションを開始すること
を行うようにさらに動作可能である、Ｃ２７に記載の装置。
［Ｃ２９］前記第２のコンテンツアイテムを前記ＷＣＤに記憶すること
を行うための記憶モジュール
をさらに備え、
前記コンテンツモジュールが、
リアルタイムでストリーミングされたデータとしての前記第２のコンテンツアイテムにアクセスすること、または前記ＷＣＤのストレージからの前記第２のコンテンツアイテムにアクセスすることのいずれかによって、前記第２のコンテンツアイテムにアクセスすること
を行うようにさらに動作可能である、Ｃ２７に記載の装置。
［Ｃ３０］前記コンテンツアイテムが、ブロードキャストすること、またはマルチキャストすること、またはユニキャストすることのうちの少なくとも１つによって配信される、Ｃ２７に記載の装置。
［Ｃ３１］前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、ＸＭ無線フォーマットのうちの少なくとも１つを含むフォーマットを介して配信される、Ｃ２７に記載の装置。
［Ｃ３２］前記受信機が、前記第１のコンテンツアイテムを取得したいという要求を受信することを行うようにさらに動作可能であり、
前記要求を前記受信することが、前記ＷＣＤへのユーザ選択を介して前記要求を受信すること、または前記ＷＣＤに通信可能に結合された第２のコンピューティングデバイスから前記要求を受信することのいずれかをさらに備え、前記第２のコンピューティングデバイスが、前記第１のコンテンツアイテムにアクセスでき、前記第１のコンテンツアイテムを要求するユーザ選択を受信する、Ｃ２７に記載の装置。
［Ｃ３３］前記コンテンツモジュールが、
前記ＷＣＤによってブックマークを生成すること、または
第２のコンピューティングデバイスによって生成されたブックマークを受信すること
のうちの少なくとも１つを行うようにさらに動作可能である、Ｃ２７に記載の装置。
［Ｃ３４］前記受信機が、
前記コンテンツアイテムに結合された情報を含むコンテンツガイドを受信することと、
前記コンテンツガイドからの選択を介した前記コンテンツアイテムの選択を介して前記第１のコンテンツアイテムを取得したいという要求を受信することと
を行うようにさらに動作可能である、Ｃ２７に記載の装置。
［Ｃ３５］前記コンテンツモジュールが、
前記コンテンツガイドに結合されたブックマークを生成すること
を行うようにさらに動作可能である、Ｃ３４に記載の装置。
［Ｃ３６］前記第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、Ｃ２７に記載の装置。
［Ｃ３７］前記コンテンツモジュールが、前記第１のサービスプロバイダからアクセス可能な少なくとも１つの追加のコンテンツアイテムを選択することを行うようにさらに動作可能であり、
前記送信機が、前記選択を前記第１のサービスプロバイダに送信することを行うようにさらに動作可能であり、
前記受信機が、前記送信された選択に関連付けられた少なくとも第３のコンテンツアイテムを前記第１のサービスプロバイダから受信することを行うようにさらに動作可能である、Ｃ３６に記載の装置。
［Ｃ３８］前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、Ｃ３６に記載の装置。
［Ｃ３９］前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、Ｃ２７に記載の装置。
［Ｃ４０］前記デバイス動作識別アイテムは、前記第１のコンテンツアイテムのオーディオクリップキャプチャ、またはＷＣＤロケーション識別子、またはタイムスタンプ、またはユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、Ｃ２７に記載の装置。
［Ｃ４１］前記送信機が、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記コンテンツアイテム要求と前記ブックマークとを送信することを行うようにさらに動作可能である、Ｃ２７に記載の装置。
［Ｃ４２］前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、Ｃ２７に記載の装置。
［Ｃ４３］前記第１のコンテンツアイテムへの前記リンクは、前記ブックマークが所定の時間間隔で更新されることを可能にするための、前記第１のコンテンツアイテムへのアクティブリンクをさらに含む、Ｃ４２に記載の装置。
［Ｃ４４］前記送信機は、
前記ブックマークを第３のデバイスに送信することであって、前記ブックマークは、前記第３のデバイスが前記第１のコンテンツアイテムにアクセスすることを可能にする、送信すること
を行うようにさらに動作可能である、Ｃ２７に記載の装置。
［Ｃ４５］前記コンテンツモジュールが、
探索可能なキーワード構造を用いて前記ブックマークをタグ付けすることと、
前記探索可能なキーワード構造を介してアクセス可能であるように前記ブックマークを記憶することと
を行うようにさらに動作可能である、Ｃ２７に記載の装置。
［Ｃ４６］前記第１のサービスプロバイダが無線局であり、前記第２のサービスプロバイダがセルラーネットワークサービスプロバイダである、Ｃ２７に記載の装置。
［Ｃ４７］前記第１のサービスプロバイダが無線局であり、前記第２のサービスプロバイダがインターネットサービスプロバイダである、Ｃ２７に記載の装置。
［Ｃ４８］前記第１のサービスプロバイダが第１のインターネットサービスプロバイダであり、前記第２のサービスプロバイダが第２のインターネットサービスプロバイダである、Ｃ２７に記載の装置。
［Ｃ４９］前記第１のサービスプロバイダが第１の無線局であり、前記第２のサービスプロバイダが、前記第１の無線局を含む１つまたは複数の無線局に関連付けられたウェブサーバである、Ｃ２７に記載の装置。
［Ｃ５０］ワイヤレス通信デバイスへのコンテンツの配信を可能にするための方法であって、前記方法は、
第１のサービスプロバイダによって配信された第１のコンテンツアイテムを前記第１のサービスプロバイダから受信することと、
前記第１のコンテンツアイテムに少なくとも１つのワイヤレス通信デバイス（ＷＣＤ）動作識別アイテムを結合するブックマークを含むコンテンツアイテム要求をＷＣＤから受信することと、
前記ＷＣＤから受信した前記ブックマークとともに前記第１のコンテンツアイテムを処理することによって前記コンテンツアイテムが利用可能であるかどうかを判断することと、
前記コンテンツアイテムが利用可能であると判断されると、前記送信されたコンテンツアイテム要求と前記ブックマークとを介して前記第１のコンテンツアイテムに関連付けられた第２のコンテンツアイテムを取得することと、
前記取得された第２のコンテンツアイテムを前記要求元ＷＣＤに送信することと
を備える、方法。
［Ｃ５１］前記コンテンツアイテムが利用不可能であると判断されると、少なくとも１つの関係するコンテンツアイテムについての１つまたは複数のオプションを取得することと、
少なくとも１つの関係するコンテンツアイテムについての前記１つまたは複数のオプションを送信することと
をさらに備える、Ｃ５０に記載の方法。
［Ｃ５２］少なくとも１つの関係するコンテンツアイテムについての前記１つまたは複数のオプションが、前記コンテンツアイテム要求と共通するジャンル、またはアーティスト名、またはアルバム名のうちの少なくとも１つを用いて１つまたは複数のコンテンツアイテムを選択することによって判断される、Ｃ５１に記載の方法。
［Ｃ５３］前記ブックマークが、前記ＷＣＤまたは第２のコンピューティングデバイスのいずれかによって生成される、Ｃ５０に記載の方法。
［Ｃ５４］前記第１のコンテンツアイテムに結合された情報を含むコンテンツガイドを前記第１のサービスプロバイダから受信すること
をさらに備え、
要求を前記受信することが、前記コンテンツガイドからの選択を介して前記コンテンツアイテムの選択を受信することをさらに備える、Ｃ５０に記載の方法。
［Ｃ５５］取得された第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、Ｃ５０に記載の方法。
［Ｃ５６］追加の第１のサービスプロバイダコンテンツの選択を前記ＷＣＤから受信することと、
前記選択された追加の第１のサービスプロバイダコンテンツに関連付けられた第３のコンテンツアイテムを前記ＷＣＤに送信することと
をさらに備える、Ｃ５５に記載の方法。
［Ｃ５７］前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、Ｃ５５に記載の方法。
［Ｃ５８］前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、ＸＭ無線フォーマットのうちの少なくとも１つを含むフォーマットを介して配信される、Ｃ５０に記載の方法。
［Ｃ５９］前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、Ｃ５０に記載の方法。
［Ｃ６０］前記デバイス動作識別アイテムは、前記第１のコンテンツアイテムのオーディオクリップキャプチャ、またはＷＣＤロケーション識別子、またはタイムスタンプ、ユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、Ｃ５０に記載の方法。
［Ｃ６１］前記送信することが、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記取得された第２のコンテンツアイテムを送信することをさらに備える、Ｃ５０に記載の方法。
［Ｃ６２］前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、Ｃ５０に記載の方法。
［Ｃ６３］前記第１のコンテンツアイテムへの前記リンクは、前記ブックマークが所定の時間間隔で更新されることを可能にするための、前記第１のコンテンツアイテムへのアクティブリンクをさらに含む、Ｃ６２に記載の方法。
［Ｃ６４］探索可能なキーワード構造を用いて前記ブックマークをタグ付けすることと、
前記探索可能なキーワード構造を介してアクセス可能であるように前記ブックマークを記憶することと
をさらに備える、Ｃ５０に記載の方法。
［Ｃ６５］前記第１のサービスプロバイダが、無線局またはインターネットサービスプロバイダのいずれかである、Ｃ５０に記載の方法。
［Ｃ６６］前記第１のサービスプロバイダが第１の無線局であり、前記第２のコンテンツアイテムが、前記第１の無線局を含む１つまたは複数の無線局に関連付けられたウェブサーバを介して取得される、Ｃ５０に記載の方法。
［Ｃ６７］ワイヤレス通信デバイスへのコンテンツの配信を可能にするように構成された少なくとも１つのプロセッサであって、
第１のサービスプロバイダによって配信された第１のコンテンツアイテムを前記第１のサービスプロバイダから受信するための第１のモジュールと、
前記第１のコンテンツアイテムに少なくとも１つのワイヤレス通信デバイス（ＷＣＤ）動作識別アイテムを結合するブックマークを含むコンテンツアイテム要求をＷＣＤから受信するための第２のモジュールと、
前記ＷＣＤから受信した前記ブックマークとともに前記第１のコンテンツアイテムを処理することによって前記コンテンツアイテムが利用可能であるかどうかを判断するための第３のモジュールと、
前記送信されたコンテンツアイテム要求と前記ブックマークとを介して前記第１のコンテンツアイテムに関連付けられた第２のコンテンツアイテムが利用可能であると判断されると、前記コンテンツアイテムを取得するための第４のモジュールと、
前記取得された第２のコンテンツアイテムを前記要求元ＷＣＤに送信するための第５のモジュールと
を備える、プロセッサ。
［Ｃ６８］第１のサービスプロバイダによって配信された第１のコンテンツアイテムを前記第１のサービスプロバイダから受信することをコンピュータに行わせるための第１のコードセットと、
前記第１のコンテンツアイテムに少なくとも１つのワイヤレス通信デバイス（ＷＣＤ）動作識別アイテムを結合するブックマークを含むコンテンツアイテム要求をＷＣＤから受信することを前記コンピュータに行わせるための第２のコードセットと、
前記ＷＣＤから受信した前記ブックマークとともに前記第１のコンテンツアイテムを処理することによって前記コンテンツアイテムが利用可能であるかどうかを判断することを前記コンピュータに行わせるための第３のコードセットと、
前記送信されたコンテンツアイテム要求と前記ブックマークとを介して前記第１のコンテンツアイテムに関連付けられた第２のコンテンツアイテムが利用可能であると判断されると、前記コンテンツアイテムを取得することを前記コンピュータに行わせるための第４のコードセットと、
前記取得された第２のコンテンツアイテムを前記要求元ＷＣＤに送信することを前記コンピュータに行わせるための第５のコードセットと
を備えるコンピュータ可読媒体
を備える、コンピュータプログラム製品。
［Ｃ６９］第１のサービスプロバイダによって配信された第１のコンテンツアイテムを前記第１のサービスプロバイダから受信するための手段と、
前記第１のコンテンツアイテムに少なくとも１つのワイヤレス通信デバイス（ＷＣＤ）動作識別アイテムを結合するブックマークを含むコンテンツアイテム要求をＷＣＤから受信するための手段と、
前記ＷＣＤから受信した前記ブックマークとともに前記第１のコンテンツアイテムを処理することによって前記コンテンツアイテムが利用可能であるかどうかを判断するための手段と、
前記コンテンツアイテムが利用可能であると判断されると、前記送信されたコンテンツアイテム要求と前記ブックマークとを介して前記第１のコンテンツアイテムに関連付けられた第２のコンテンツアイテムを取得するための手段と、
前記取得された第２のコンテンツアイテムを前記要求元ＷＣＤに送信するための手段と
を備える、装置。
［Ｃ７０］第１のフォーマットを使用して第１のサービスプロバイダによって配信された第１のコンテンツアイテムを前記第１のサービスプロバイダから受信することと、
前記第１のコンテンツアイテムに少なくとも１つのワイヤレス通信デバイス（ＷＣＤ）動作識別アイテムを結合するブックマークを含むコンテンツアイテム要求をＷＣＤから受信することと
を行うための受信機と、
前記ＷＣＤから受信した前記ブックマークとともに前記第１のコンテンツアイテムを処理することによって前記コンテンツアイテムが利用可能であるかどうかを判断することと、
前記コンテンツアイテムが利用可能であると判断されると、前記送信されたコンテンツアイテム要求と前記ブックマークとを介して前記第１のコンテンツアイテムに関連付けられた第２のコンテンツアイテムを取得することと
を行うためのコンテンツモジュールと、
前記取得された第２のコンテンツアイテムを前記要求元ＷＣＤに送信すること
を行うための送信機と
を備える、装置。
［Ｃ７１］前記コンテンツモジュールは、
前記コンテンツアイテムが利用不可能であると判断されると、少なくとも１つの関係するコンテンツアイテムについての１つまたは複数のオプションを取得すること
を行うようにさらに動作可能であり、
前記送信機が、少なくとも１つの関係するコンテンツアイテムについての前記１つまたは複数のオプションを送信することを行うようにさらに動作可能である、Ｃ７０に記載の装置。
［Ｃ７２］少なくとも１つの関係するコンテンツアイテムについての前記１つまたは複数のオプションが、前記コンテンツアイテム要求と共通するジャンル、またはアーティスト名、またはアルバム名のうちの少なくとも１つを用いて１つまたは複数のコンテンツアイテムを選択することによって判断される、Ｃ７１に記載の装置。
［Ｃ７３］前記ブックマークが、前記ＷＣＤまたは第２のコンピューティングデバイスのいずれかによって生成される、Ｃ７０に記載の装置。
［Ｃ７４］前記受信機が、
前記第１のコンテンツアイテムに結合された情報を含むコンテンツガイドを前記第１のサービスプロバイダから受信すること
を行うようにさらに動作可能であり、
前記受信機が、前記コンテンツガイドからの選択を介して前記コンテンツアイテムの選択を受信することを行うようにさらに動作可能である、Ｃ７０に記載の装置。
［Ｃ７５］取得された第２のコンテンツアイテムが前記第１のサービスプロバイダにさらに関連付けられ、前記第２のコンテンツアイテムが、追加の第１のサービスプロバイダコンテンツへのアクセスを前記ＷＣＤに与えるためのデータをさらに含む、Ｃ７０に記載の装置。
［Ｃ７６］前記受信機が、追加の第１のサービスプロバイダコンテンツの選択を前記ＷＣＤから受信することを行うようにさらに動作可能であり、
前記送信機が、前記選択された追加の第１のサービスプロバイダコンテンツに関連付けられた第３のコンテンツアイテムを前記ＷＣＤに送信することを行うようにさらに動作可能である、Ｃ７５に記載の装置。
［Ｃ７７］前記第１のサービスプロバイダに関連付けられた前記データを含む前記第２のコンテンツアイテムが、ＸＭＬフォーマット、またはＪＳＯＮフォーマットのうちの少なくとも１つを含むフォーマットを使用して受信される、Ｃ７５に記載の装置。
［Ｃ７８］前記第１のコンテンツアイテムが、周波数変調（ＦＭ）フォーマット、または振幅変調（ＡＭ）フォーマット、または衛星無線フォーマット、またはインターネットプロトコル（ＩＰ）フォーマット、またはＨＤ無線フォーマット、ＸＭ無線フォーマットのうちの少なくとも１つを含むフォーマットを介して配信される、Ｃ７０に記載の装置。
［Ｃ７９］前記第２のコンテンツアイテムが、．ｗａｖファイルフォーマット、または．ａａｃファイルフォーマット、または．ｑｃｐファイルフォーマット、またはＭＰ３ファイルフォーマットのうちの少なくとも１つを含むフォーマットを使用して受信される、Ｃ７０に記載の装置。
［Ｃ８０］前記デバイス動作識別アイテムは、前記第１のコンテンツアイテムのオーディオクリップキャプチャ、またはＷＣＤロケーション識別子、またはタイムスタンプ、ユーザが入力した第１のコンテンツアイテムタグ、または前記第１のコンテンツアイテムとともに受信されたメタデータの少なくとも一部分、または前記第１のコンテンツアイテムについての無線データシステム（ＲＤＳ）情報、またはコンテンツガイドから取得された、前記第１のコンテンツアイテムについての情報のうちの少なくとも１つを含む、Ｃ７０に記載の装置。
［Ｃ８１］前記送信機が、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＷｉＦｉ、ＵＭＢ、ＥＶ−ＤＯを備えるプロトコルのグループから選択されたプロトコルを使用してネットワーク上で前記取得されたコンテンツアイテムを送信することを行うようにさらに動作可能である、Ｃ７０に記載の装置。
［Ｃ８２］前記ブックマークが、前記第１のコンテンツアイテムにリンクされたデータ、前記第１のコンテンツアイテムを定義するデータ、または前記第１のコンテンツアイテムへのリンクのうちの少なくとも１つを含み得る、Ｃ７０に記載の装置。
［Ｃ８３］前記第１のコンテンツアイテムへの前記リンクは、前記ブックマークが所定の時間間隔で更新されることを可能にするための、前記第１のコンテンツアイテムへのアクティブリンクをさらに含む、Ｃ８２に記載の装置。
［Ｃ８４］前記コンテンツモジュールが、
探索可能なキーワード構造を用いて前記ブックマークをタグ付けすることと、
前記探索可能なキーワード構造を介してアクセス可能であるように前記ブックマークを記憶することと
を行うようにさらに動作可能である、Ｃ７０に記載の装置。
［Ｃ８５］前記第１のサービスプロバイダが、無線局またはインターネットサービスプロバイダのいずれかである、Ｃ７０に記載の装置。
［Ｃ８６］前記第１のサービスプロバイダが第１の無線局であり、前記第２のコンテンツアイテムが、前記第１の無線局を含む１つまたは複数の無線局に関連付けられたウェブサーバを介して取得される、Ｃ７０に記載の装置。
【外国語明細書】
2014017827000001.pdf